(57)【特許請求の範囲】
【請求項１】
透明部材で形成された遊技盤本体に障害部材及び入賞装置を設けた遊技盤と、前記遊技盤本体の後方に所定間隔離して配置され、遊技に関わる変動表示ゲームを表示する表示ユニットと、を備えた遊技機において、
前記変動表示ゲームは、始動入賞口への入賞によって実行可能とされ、前記変動表示ゲームの結果が特別結果態様となった場合に特別遊技状態を発生可能に制御され、
前記表示ユニットは少なくとも矩形状の画像表示面を備え、
前記画像表示面における表示領域を区画する表示領域区画壁を有し、前記画像表示面の周辺部を遊技者から視認不能に隠蔽する不透明部材を、前記遊技盤本体と前記表示ユニットとの間に配置することで、前記画像表示面には遊技者が視認可能な視認領域が形成される構成となっており、
前記遊技盤と前記表示ユニットとの間に、少なくとも一部が前記表示ユニットの視認領域の前側に位置するように、前記変動表示ゲームの演出を行う可動演出装置を配設し、
前記可動演出装置は、光を照射する照明手段を備え、前記照明手段から発せられた光を回転しながらさまざまな方向へ反射させ、
前記可動演出装置の電気的駆動源を前記表示ユニットの視認領域の外側に設けたことを特徴とする遊技機。
【請求項２】
前記遊技盤には、該遊技盤の前面側に形成された第１遊技領域と、前記第１遊技領域の後方で前記遊技盤本体を介して視認可能な第２遊技領域とを備えたことを特徴とする請求項１に記載の遊技機。
【請求項３】
前記第２遊技領域に、該第２遊技領域を流下する遊技球の流下方向を変換する流下方向変換部材を設け、
前記流下方向変換部材を駆動する電気的駆動源を前記表示ユニットの視認領域の外側に設けたことを特徴とする請求項２に記載の遊技機。
【請求項４】
前記遊技盤本体に、前記第１遊技領域から前記第２遊技領域に遊技球を流入させる流入口と、該流入口から一方向に傾斜する前記第２遊技領域を流下した遊技球を再び前記第１遊技領域へ流出する流出口とを設けたことを特徴とする請求項３に記載の遊技機。
【請求項５】
前記第２遊技領域に、該第２遊技領域を流下する遊技球を受け入れる開状態と、該第２遊技領域を流下する遊技球を受け入れずに流下させる閉状態とに変換可能な変動入賞装置を設けたことを特徴とする請求項４に記載の遊技機。
【発明の詳細な説明】
【技術分野】
【０００１】
本発明は、前面枠と、該前面枠側に着脱可能な透明部材で形成された遊技盤と、遊技盤本体の後方に所定間隔離して配置され、遊技に関わる変動表示ゲームを表示する表示ユニットと、を備えた遊技機に関する。
【背景技術】
【０００２】
近年の遊技機、例えば、パチンコ遊技機においては、遊技演出の効果を増すために、表示装置を大型化したものが提案されている。具体的には、前面枠に大型液晶パネル等で構成された変動表示装置を設け、該変動表示装置を前面枠の横幅と略等しい横幅に設定し、変動表示装置の前方に透光性部材で形成された遊技盤を装着し、遊技者が該遊技盤を介して変動表示装置の表示領域を視認できるように構成されたパチンコ遊技機が提案されている（例えば、特許文献１参照）。
【先行技術文献】
【特許文献】
【０００３】
【特許文献１】特開２００４−１３１３２４号公報
【発明の概要】
【発明が解決しようとする課題】
【０００４】
しかし、透光性部材で形成された遊技盤に変動入賞装置や入賞口などを設けた場合には、駆動源、センサ及びこれらに接続される配線が遊技盤前面側から見えてしまい装飾性の面で問題がある。
変動入賞装置を不透光性部材で形成するとともに、遊技盤裏面から後方に延出し変動入賞装置後部を囲う不透光性部材で形成された壁部材を設けて駆動源を見えないようにすることも考えられるが、このようにすると壁部材により表示領域が隠れてしまい、大型の変動表示装置を設けても表示領域が狭くなってしまう。
更に、近年では、遊技店からインパクトのある遊技機の提供が求められており、駆動源により駆動する装飾部材や発光源による装飾部材設ける傾向にある。
しかし、透光性部材で形成された遊技盤に装飾部材を設けた場合には、駆動源や発光源や配線が遊技者に見えてしまい見栄えが悪く、駆動源などで表示領域が隠れて見づらくなってしまうという問題がある。
【０００５】
本発明の課題は、前面枠と、該前面枠側に着脱可能な透明部材で形成された遊技盤と、遊技盤本体の後方に所定間隔離して配置され、遊技に関わる変動表示ゲームを表示する表示ユニットと、を備えた遊技機において、表示領域を狭めることなく駆動源を配設できるようにし、装飾性を向上することである。
【課題を解決するための手段】
【０００６】
以上の課題を解決するため、請求項１に記載の発明は、透明部材で形成された遊技盤本体に障害部材及び入賞装置を設けた遊技盤と、前記遊技盤本体の後方に所定間隔離して配置され、遊技に関わる変動表示ゲームを表示する表示ユニットと、を備えた遊技機において、
前記変動表示ゲームは、始動入賞口への入賞によって実行可能とされ、前記変動表示ゲームの結果が特別結果態様となった場合に特別遊技状態を発生可能に制御され、
前記表示ユニットは少なくとも矩形状の画像表示面を備え、
前記画像表示面における表示領域を区画する表示領域区画壁を有し、前記画像表示面の周辺部を遊技者から視認不能に隠蔽する不透明部材を、前記遊技盤本体と前記表示ユニットとの間に配置することで、前記画像表示面には遊技者が視認可能な視認領域が形成される構成となっており、
前記遊技盤と前記表示ユニットとの間に、少なくとも一部が前記表示ユニットの視認領域の前側に位置するように、前記変動表示ゲームの演出を行う可動演出装置を配設し、
前記可動演出装置は、光を照射する照明手段を備え、前記照明手段から発せられた光を回転しながらさまざまな方向へ反射させ、
前記可動演出装置の電気的駆動源を前記表示ユニットの視認領域の外側に設けたことを特徴とする。
【０００８】
請求項１に記載の発明によれば、表示ユニットは遊技盤から所定距離後方に配設されることとなるので、表示ユニットと遊技者との距離を確保でき、表示画像に奥行き感を出すことができるとともに表示が見やすくなり、興趣を高めることができる。
【発明の効果】
【００１８】
本発明によれば、表示ユニットは遊技盤から所定距離後方に配設されることとなるので、表示ユニットと遊技者との距離を確保でき、表示画像に奥行き感を出すことができるとともに表示が見やすくなり、興趣を高めることができる。
【図面の簡単な説明】
【００１９】
【図１】本発明を適用した一実施の形態の構成を示す遊技機の背面図である。
【図２】遊技機の裏面側を示す斜視図である。
【図３】遊技盤の正面図である。
【図４】遊技盤の裏面側を示す斜視図である。
【図５】遊技盤の裏面側を示す分解斜視図である。
【図６】裏機構枠の前面側を示す斜視図である。
【図７】裏機構枠の前面側を示す分解斜視図である。
【図８】裏機構枠の裏面側を示す図であって、排出装置および流路構成部材の後面側のカバーを取り外した図である。
【図９】裏機構枠の裏面側を示す分解斜視図である。
【図１０】遊技機の制御系の一部を示すブロック図である。
【図１１】第１変形例にかかる遊技機における遊技盤の正面図である。
【図１２】第１変形例にかかる遊技機における遊技盤の背面図である。
【図１３】（ａ）第１変形例にかかる遊技機における変動入賞装置の裏面側を示す図であって閉状態の図、（ｂ）開状態の図、（ｃ）第２遊技領域を前面側から見た斜視図である。
【図１４】第２変形例にかかる遊技機における遊技盤の正面図である。
【図１５】第２変形例にかかる遊技機における第２遊技領域を裏面側から見た斜視図であって、（ａ）変動入賞装置が閉状態の図、（ｂ）変動入賞装置が開状態の図である。
【発明を実施するための形態】
【００２０】
以下、この発明の実施形態について図面を参照して説明する。
ここでは、本発明にかかる遊技機の適例としてのパチンコ遊技機について図１から図１０を用いて説明を行う。
【００２１】
図１，２には機枠１１０を有する遊技機１００全体の背面側を示した。
図１に示すように、本実施形態の遊技機１００は、矩形枠状に構成された機枠１１０を備え、機枠１１０の裏面側から見て右側の側部には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７３を備える裏機構枠１６０の配設を可能としている。
【００２２】
図２に示すように、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７３を備える裏機構枠１６０とを有する。
【００２３】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２４】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール２（図３に図示）に囲まれた部分が、遊技球が発射されて流下する第１遊技領域３（図３に図示）とされている。
【００２５】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域３の前側を開放可能となっている。
クリア部材保持枠１４０には、前面枠本体１３０の開口部をほぼ閉塞するように、該開口部に嵌め込まれた遊技盤１との間に遊技球が流下可能な第１遊技領域３となる間隔を開けて二重のガラス板が固定されている。そして、クリア部材保持枠１４０において、遊技機１００の前側からガラス板を介して遊技盤１の前面側の少なくとも第１遊技領域３の部分が視認可能となっている。また、クリア部材保持枠１４０の前面であって、ガラス板が固定されて第１遊技領域３を視認可能とする部分の周囲には、枠装飾装置５７（図１０に図示）としてのランプやＬＥＤなどが設けられている。
【００２６】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置６０（図１０に図示）に遊技球を送る上皿を有している。この上皿の周囲には、遊技者が操作可能な演出用ボタン５９（図１０に図示）が設けられている。また、開閉パネルの下側の下部パネルには、上皿に収容しきれない遊技球を収容する下皿及び灰皿と、第１遊技領域３に向けての遊技球の発射操作を行うとともに、該第１遊技領域３に遊技球を発射する際の発射勢を調節するための操作ハンドル、音声を出力するスピーカ５８（図１０に図示）などが設けられている。
【００２７】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２８】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
図３から５に示すように、前面枠本体１３０の開口部に嵌め込まれる遊技盤１は、遊技盤本体１０と、遊技盤本体１０の裏面側に配される遊技盤裏面構成部材１１とを備える。遊技盤本体１０は透明な合成樹脂（例えば、ポリカーボネートやアクリル）からなり、前面には、略円形に配されたガイドレール２で囲まれた第１遊技領域３を有し、この第１遊技領域３内に遊技球（打球；遊技媒体）を発射して遊技を行うようになっている。また、遊技盤１の前面であってガイドレール２で囲まれた第１遊技領域３の外側には、不透明な材質からなる遊技盤前面構成部材１２が取り付けられ、第１遊技領域３以外から遊技機１００の内部が見えないようになっている。
【００３０】
第１遊技領域３内には、普図始動ゲート６、普図始動ゲート６内にあって、遊技球の通過を検出するゲートセンサ、この普図始動ゲート６を遊技球が通過して普図変動表示ゲームが未処理となっている未処理回数を表示する普図始動記憶表示器（図示略）、普通図柄の変動表示ゲームを表示する普図変動表示器（図示略）が設けられている。また、普通変動入賞装置９と、この普通変動入賞装置９に遊技球が入賞して特図変動表示ゲームが未処理となっている未処理回数を点灯表示する特図始動記憶表示器（図示略）、特図の変動表示ゲームを表示する特図変動表示器（図示略）、特別変動入賞装置４、遊技盤装飾装置５４（図１０に図示）、一般入賞口５、風車と呼ばれる打球方向変換部材、多数の障害釘（図示略）、入賞口などに入賞しなかった遊技球を回収するアウト口７などが設けられている。
【００３１】
また、特別図柄（特図、識別情報）の変動表示ゲームは、第１遊技領域３内に設けられた特図変動表示器（たとえば、７セグからなる）で実行され、ここで実行される特図の変動表示ゲームに対応する表示ゲームを表示ユニット１７３の画像表示面１７１に表示するようになっている。この特図の変動表示ゲームに対応した表示ゲームの表示領域は、後述するように、遊技盤１を構成する遊技盤裏面構成部材１１に形成された表示領域区画壁１６によって区画された領域であって、透明な材質からなる遊技盤本体１０を通して、その裏面側に配された表示ユニット１７３の画像表示面１７１を視認可能な領域となっている。なお、遊技機１００に特図変動表示器を備えずに、表示ユニット１７３のみで特図の変動表示ゲームを実行するようにしても良い。
【００３２】
普通変動入賞装置９は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置９に遊技球が流入し易い状態（遊技者にとって有利な状態）に変化されるようになっている。
この普通変動入賞装置９は、特図の始動入賞口も兼ねている。すなわち、普通変動入賞装置９の内部（入賞領域）に備えられた始動口センサ５０（図１０に図示）により遊技球を検出することに基づき始動条件が成立し、特図の変動表示ゲームが開始されるようになっている。
【００３３】
また、図５に示すように、遊技盤裏面構成部材１１は、遊技盤本体１０の周囲に沿う矩形状をしており、不透明又は半透明とされた合成樹脂（例えば、ポリカーボネートやＡＢＳ）からなる。この遊技盤裏面構成部材１１における遊技盤本体１０の裏面に沿って配されるベース盤１４の略中央部には、遊技盤本体１０に形成された第１遊技領域３の大部分と重なるように視認開口１５が形成されている。また、ベース盤１４の裏面側には、視認開口１５の周縁に沿って後方に突出する表示領域区画壁１６が形成されており、これによって前後方向に沿った筒状の空間が形成されている。この表示領域区画壁１６は、遊技盤１の後方に配される後述する表示ユニット１７３の画像表示面１７１に近接するように配される（当接はしない）ようになっており、特図の変動表示ゲームに対応した表示ゲームなどの表示領域を区画するものである。すなわち、表示ユニット１７３の画像表示面１７１のうち、視認開口１５の周縁に沿って形成された表示領域区画壁１６で囲まれた領域が遊技盤１の前面側から視認可能な表示領域（視認領域）となる。よって、第１遊技領域３の大部分に表示ユニット１７３の画像が表示されることとなる。
【００３４】
なお、後述するように画像表示面１７１の面積は、遊技盤裏面構成部材１１に形成された視認開口１５よりも広いので、遊技盤裏面構成部材１１に形成された視認開口１５から露出する領域に所定の画像が表示されるように演出制御装置３３によって制御されている。また、表示領域区画壁１６の上半部および左右側部は、表示領域区画壁１６を通して遊技機１００の内部が透けて見えない程度の半透明とされており、下半部は着色されて不透明とされ、遊技機１００の内部（例えば、変動入賞装置の駆動源や配線）が見えないようになっている。
【００３５】
以上のことから、遊技盤本体１０の裏面側には、該遊技盤本体１０の周囲に沿う矩形状の遊技盤裏面構成部材１１が配設され、遊技盤裏面構成部材１１は、不透明部材又は半透明部材により形成され、中央部分に表示ユニット１７３を視認するための視認開口１５を開設し、該視認開口１５の周縁部から表示領域区画壁１６を後方に向けて延出したこととなる。
【００３６】
ベース盤１４の裏面には、左右の端部に隣接する位置に、後方へ突出する押圧部１７，１７，…が上下に形成されている。この押圧部１７，１７，…は、遊技盤１の裏面側に配される表示ユニット１７３の前面（表示ユニット１７３の外枠をなす表示ユニットケース１７４の前面）に、その後端部が当接するようになっている。また、押圧部１７，１７，…は、所定の前後幅を有しており、押圧部１７，１７，…が表示ユニット１７３の前面に当接することで、遊技盤１と表示ユニット１７３は所定の間隔をおいて配され、両者の間に空間部が形成されるようになっている。なお、押圧部１７，１７，…の前後幅は、上述した表示領域区画壁１６の前後幅よりも若干広くされており、押圧部１７，１７，…が表示ユニット１７３の前面に当接することで、表示領域区画壁１６が画像表示面１７１に近接した位置に配されるようになっている。
【００３７】
このように、遊技盤１に対して表示ユニット１７３が所定の間隔をおいて遊技機１００の奥側に配されるので、表示ユニット１７３と遊技者との距離を確保でき、奥行き感を出すことができるとともに、大型の表示ユニット１７３を用いた場合でも、遊技者にとって見やすい構成とすることができる。また、遊技盤側から入り込む外光によって画像表示面１７１における表示が見にくくなることを防止できる。
【００３８】
また、押圧部１７，１７，…はベース盤１４に形成された基部１７ａと、基部１７ａの後端部にねじによって取り付けられた摩擦係数が低い材質（例えば、ポリアセタール、金属）からなる押圧部材１７ｂとを有している。さらに、ベース盤１４の裏面側から見て右側に位置する押圧部１７，１７の押圧部材１７ｂには、上下方向に沿った軸を中心に回動可能なローラ２０が、外側に位置する角部に取り付けられている。
【００３９】
表示ユニット１７３の前面に当接する押圧部材１７ｂ，１７ｂ，…がこのような構成を有することで、押圧部材１７ｂ，１７ｂ，…が表示ユニット１７３の前面に当接し、押圧した状態で、容易に適切な位置に移動することができるようになっている。なお、この押圧部１７，１７，…による表示ユニット１７３の押圧については後述する。
【００４０】
特別変動入賞装置４は、上端側が手前側に倒れる方向に回動して開放可能になっているアタッカ形式の開閉扉４ａによって開閉される大入賞口を備えていて、後述する特別遊技状態中は、大入賞口を閉じた状態から開いた状態に変換することにより大入賞口内への遊技球の流入を容易にさせる。なお、開閉扉４ａは、ソレノイド（大入賞口ＳＯＬ５３、図１０に図示）により駆動される。また、大入賞口の内部（入賞領域）には、該大入賞口に入った遊技球を検出するための大入賞口用センサ（カウントセンサ５１、図１０に図示）が配設されている。
【００４１】
また、第１遊技領域３に設けられた一般入賞口５には、一般入賞口５に入った遊技球を検出するための一般入賞口センサ５２（図１０に図示）が配設されている。そして、遊技を開始することにより第１遊技領域３内に打ち込まれた遊技球が、一般入賞口５、始動入賞口（普通変動入賞装置９）、大入賞口（特別変動入賞装置４）等の入賞口の何れかに入賞すると、それぞれの入賞口に対応した所定数の賞球としての遊技球が後述の排出発射制御装置３４（排出発射制御基板）の制御により排出装置１９０によって上皿に排出される（払い出される）ようになっている。
【００４２】
図４，５に示すように、遊技盤裏面構成部材１１におけるベース盤１４の裏面に形成された表示領域区画壁１６のうち、上側に位置する表示領域区画壁１６の左右方向の中央には、大当り予告やリーチ状態において演出を行う可動演出装置７０が取り付けられている。この可動演出装置７０は、表示領域区画壁１６の内側の領域に配されたミラーボール７１とミラーボール７１に光を照射する照明手段８０，８０とを備える。
【００４３】
ミラーボール７１は、表示領域区画壁１６に取り付けられたベース部材７２と、該ベース部材７２の上部に配された駆動源としてのモータ７３を備え、該モータ７３の駆動軸に、球形をしたミラーボール本体７４に一端部が接続された回転軸７５の他端部が接続されている。そして、回転軸７５が上下方向に沿って表示領域区画壁１６の内側に延出するように配され、表示ユニット１７３の画像表示面１７１の前方にミラーボール本体７４が配されるようになっている。さらに、モータ７３を駆動することにより、回転軸７５とともにミラーボール本体７４も回転するようになっている。ミラーボール本体７４に接続した回転軸７５は透明な材質からなり、表示ユニット１７３の画像表示面１７１における表示の視認を妨げることがないようになっている。また、モータ７３やモータ７３に接続する配線は表示領域区画壁１６の外側に配されているので、遊技者から見えないようになっている。
【００４４】
左右の表示領域区画壁１６の外周面であって、ミラーボール本体７４と略同じ上下位置となる部分には、ミラーボール本体７４に光を照射する照明手段８０，８０が設けられている。図５に示すように、この照明手段８０は、発光部材としてのＬＥＤ８２，８２を備えたＬＥＤ基板８１と、このＬＥＤ基板８１を表示領域区画壁１６の外周面に取り付けるため取付部材８３とを有する。
【００４５】
ＬＥＤ基板８１に備えられたＬＥＤ８２，８２は、さまざまな色の発光が可能であって、ミラーボール本体７４に照射する光の色を変化できるようになっている。また、ＬＥＤ基板８１には、発光の制御や電力の供給のための図示しない配線が接続している。これらの配線は表示領域区画壁１６の外側に配設されるので、遊技者からは見えないようになっている。
【００４６】
また、取付部材８３は、矩形筒状の部材で、筒状の空間の延在方向に沿った一端にはＬＥＤ基板８１が取り付けられ、他端は表示領域区画壁１６の外周面に取り付けられるようになっている。ＬＥＤ基板８１が取り付けられる側の端部は、筒状の空間の延在方向に対し垂直な面となっていて、ここにＬＥＤ基板８１のＬＥＤ８２，８２が配された面が取り付けられ、ＬＥＤ８２，８２が筒状の空間内に配されるようになっている。なお、ＬＥＤ基板８１の大きさは、筒状の空間の断面と略等しく、取付部材８３の一端にＬＥＤ基板８１を取り付けることで、筒状の空間の一端が閉塞されるようになっている。
【００４７】
また、取付部材８３の表示領域区画壁１６の外周面に取り付けられる側の端部は、曲面となった表示領域区画壁１６にあわせて湾曲しており、表示領域区画壁１６の外周面に密着できるとともに、筒状の空間の延在方向を遊技盤１の左右方向に沿って配置できるようになっている。この取付部材８３の表示領域区画壁１６の外周面に取り付けられる側の端部には、図示しない係合部が形成されており、表示領域区画壁１６の外周面に形成された図示しない被係合部に係合することで取り付けられるようになっている。
【００４８】
なお、取付部材８３の表示領域区画壁１６の外周面に対する取り付け方法は、これに限られるものではなく、例えば、ねじによって取り付けられるようにしても良い。
また、表示領域区画壁１６の外周面に、表示領域区画壁１６と一体に取付部材８３を形成し、ＬＥＤ基板８１を取り付けることで照明手段８０が形成されるようにしても良い。
【００４９】
以上のような可動演出装置７０は、照明手段８０，８０から発せられた光が半透明の表示領域区画壁１６を透してミラーボール本体７４に照射されるとともに、ミラーボール本体７４を回転させることでさまざまな方向に光を反射することで演出を行うものである。
このような演出を行うタイミングは、例えば、特図の変動表示ゲームの開始時であって、ミラーボール本体７４に照射される光の色を変化させることで、リーチや大当たりになる信頼度を報知するようになっている。もちろん、可動演出装置７０による演出を行うタイミングはこれに限られるものではなく、その他のタイミングであっても良い。
【００５０】
以上のことから、前面枠１２０と、該前面枠１２０側に着脱可能であり、透明部材で形成された遊技盤本体１０に障害部材（障害釘）及び入賞装置（普通変動入賞装置９）を設けた遊技盤１と、遊技盤本体１０の後方に所定間隔離して配置され、遊技に関わる変動表示ゲームを表示する表示ユニット１７３と、を備え、遊技盤１の前方から表示ユニット１７３の画像表示面１７１を視認可能とした遊技機１００において、遊技盤１は、遊技盤本体１０の裏側から表示ユニット１７３側へ向けて延出され、表示ユニット１７３の画像表示面１７１における表示領域を区画する表示領域区画壁１６を設け、表示領域区画壁１６を不透明部材又は半透明部材により形成するとともに、遊技盤１の表示領域区画壁１６の外側に対応する領域を介して表示領域区画壁１６の外側領域が視認不能又は視認困難に構成され、表示領域区画壁１６の内側に対応する遊技盤前面側または表示領域区画壁１６の内側で遊技盤１と表示ユニット１７３との間に、開状態と閉状態とに変換可能な変動入賞装置または変動表示ゲームの演出を行う可動演出装置７０を配設し、変動入賞装置または可動演出装置７０の電気的駆動源（モータ７３）を表示領域区画壁１６の外周に設けたこととなる。
【００５１】
前面側から見て左下部にある表示領域区画壁１６の内周面は、下方に凸となった湾曲面となっており、この湾曲面上が第２遊技領域９０とされている。この第２遊技領域９０は、遊技盤１の前面側から透明な遊技盤本体１０を透して視認可能となっている。
【００５２】
そして、第１遊技領域３には、この第２遊技領域９０の上方に位置する部分に、第１遊技領域３を流下する遊技球を受け入れる特定入賞口８が形成されており、この特定入賞口８に入賞した遊技球が第２遊技領域９０へ流下案内されるようになっている。なお、特定入賞口８は、遊技盤本体１０に形成された開口１３に、樋状の特定入賞口形成部材８ａが挿入されることで形成されている。
【００５３】
この特定入賞口８は下方に凸となった湾曲面の最も低くなった中央部分よりも前面側から見て左側に形成されており、特定入賞口８に入賞した遊技球は第２遊技領域９０の左側の領域であって、右側に傾斜した傾斜面上に流下するようになっている。これによって遊技球は、下に凸状になった湾曲面上を左右に往復するように転動することとなる。
【００５４】
第２遊技領域９０において、最も低くなった中央部分には、３つの入賞口が形成されている。この３つの入賞口のうち、２つの入賞口は一般入賞口９１，９１とされ、特定入賞口８に近い側に、前後に並ぶように形成されており、遊技球がここに入賞した場合は、賞球が払い出されるようになっている。また、一般入賞口９１，９１に隣接して普通変動入賞装置９側に設けられた入賞口は特別入賞口９２とされ、ここに遊技球が入賞すると賞球が払い出されるのに加え、後述する第２特別遊技状態が発生するようにされている。これら特別入賞口９２、一般入賞口９１，９１に入賞した遊技球は、後述する取り付けベース４０に形成された流路に流入し、遊技機１００の外部へ誘導されるようになっている。また、第２遊技領域９０を形成する表示領域区画壁１６の外周面であって、特別入賞口９２が形成された部分には、遊技球の特別入賞口９２への入賞を検出する当りセンサ９３が設けられている。
【００５５】
遊技盤裏面構成部材１１の裏面側であって、視認開口１５の下側には、取り付けベース４０が設けられている。この取り付けベース４０には、普通変動入賞装置９、大入賞口、一般入賞口５などに入賞した遊技球を流下させる入賞球流路や、上述した第２遊技領域９０に形成された特別入賞口９２、一般入賞口９１，９１に入賞した遊技球を流下させる当り流路９４、外れ流路９５が形成されている。なお、第２遊技領域９０に形成された一般入賞口９１，９１に入賞した遊技球を流下させる外れ流路９５には、図示しない外れセンサが設けられており、一般入賞口９１，９１に入賞した遊技球を検出できるようになっている。これらの流路は、遊技機１００の外部（島設備の回収樋）に連通する図示しない流路に接続するようになっている。この他に、取り付けベース４０には配線を中継する中継基板４２などが設けられている。また、この取り付けベース４０の裏面側から見て左側の端部には、上下方向に沿って延在する回動軸４１，４１が形成されており、後述する演出データ装置３２を収納したボックス３２ａに形成された軸受け３２ｇ，３２ｇに嵌合することで、ボックス３２ａが左右方向に扉状に回動可能に軸支されるようになっている。
【００５６】
さらに、演出データ装置３２を収納したボックス３２ａの裏面側には、左右方向に沿って延在する回動軸を備える支持部３２ｈ，３２ｈが形成されており、後述する遊技制御装置３０を収納したボックス３０ａに形成された軸受け（図示略）に嵌合することで、ボックス３０ａが上下方向に回動可能に軸支されるようになっている。また、遊技制御装置３０を収納したボックス３０ａを軸支する支持部３２ｈ，３２ｈの近傍には、ボックス３０ａが演出データ装置３２を収納したボックス３２ａの裏面に沿って配された状態、すなわちボックス３０ａが起立した状態を保持する保持部材３２ｉが設けられている。
【００５７】
また、図１，２，４，１０に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置１９０による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【００５８】
遊技制御装置３０は、図１０に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
ＣＰＵ３０ｂは、制御部、演算部を備え、演算制御を行う他、特図変動表示ゲームの大当たり判定用乱数値などの各種乱数値なども生成している。
ＲＡＭ３０ｃは、普通変動入賞装置内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００５９】
また、入出力インタフェースには、ローパスフィルタ及びバッファーゲートを介して、普通変動入賞装置９の始動口センサ５０、大入賞口のカウントセンサ５１、一般入賞口５の一般入賞口センサ５２、第２遊技領域９０の特別入賞口９２に設けられた当りセンサ９３、取り付けベース４０に設けられた外れセンサ（図示略）などが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、特別変動入賞装置４の駆動手段としての各種開閉ソレノイド（例えば、大入賞口ＳＯＬ５３）、演出制御装置３３、賞球の排出や遊技球の発射を制御する排出発射制御装置３４などに出力されている。
【００６０】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
【００６１】
また、演出データ装置３２には、盤装飾ランプ・ＬＥＤ、可動演出装置７０などの遊技盤装飾装置５４を駆動する盤装飾ドライバ３５を備えたドライバ基板が接続されており、演出制御装置３３が遊技制御装置３０から受信した制御信号（演出コマンド）に基づいて（遊技制御装置３０の制御の下に）この盤装飾ドライバ３５を制御し、盤装飾を行うようになっている。
【００６２】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（video display processor）、画像や映像データが記憶されたサブ画像ＲＯＭ３３ｅなどを含むビデオ回路、音の出力を制御する音声ＬＳＩ３３ｆ、音量を調節する音声ボリューム３３ｇを備えている。
また、前面枠１２０に設けられたランプ、ＬＥＤなどの前面枠１２０を装飾する枠装飾装置５７を駆動する枠装飾ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【００６３】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【００６４】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、表示ユニット１７３に備えられる液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に接続されたドライバ基板の盤装飾ドライバ３５を介して遊技盤装飾装置５４（可動演出装置７０）の制御を行う。
【００６５】
排出発射制御装置３４は、ＣＰＵ、ＲＡＭ、ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置１９０から排出させる制御を行う。また、発射装置６０による遊技球の発射制御を行う。
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【００６６】
これらの制御回路においては、例えば以下のような制御が行われる。
遊技制御装置３０のＣＰＵ３０ｂでは、普通変動入賞装置９に備えられた始動口センサ５０からの遊技球の検出信号の入力に基づき、特図の大当たり判定用乱数値を抽出してＲＯＭ３０ｄに記憶されている判定値と比較し、特図の変動表示ゲームの当たり外れを判定する処理を行う。また、この他に変動パターンの判定を行う処理などを行い、これらの結果を含む制御信号を、演出データ装置３２を介して演出制御装置３３に出力する。演出制御装置３３とこれに接続した演出データ装置３２では、遊技制御装置３０からの制御信号に基づき、表示ユニット１７３の液晶表示パネル１７５で特図の変動表示ゲームに対応した表示ゲームを表示する処理や、スピーカ５８からの音の出力、ランプ、ＬＥＤ、可動演出装置７０などの遊技盤装飾装置５４を制御する処理、ランプ、ＬＥＤなどの枠装飾装置５７を制御する処理を行う。そして、遊技制御装置３０のＣＰＵ３０ｂは、特図の変動表示ゲームが大当たりであった場合に第１特別遊技状態を発生し、大入賞口ＳＯＬ５３により特別変動入賞装置４を動作する制御を行う。また、遊技制御装置３０のＣＰＵ３０ｂは、第２遊技領域９０の特別入賞口９２に遊技球が入賞した場合に第２特別遊技状態を発生させる。
【００６７】
また、遊技制御装置３０のＣＰＵ３０ｂは、各種入賞口に設けられたセンサ（始動口センサ５０、カウントセンサ５１、一般入賞口センサ５２、外れセンサ（図示略））から入力される遊技球の検出信号に基づき排出発射制御装置３４に制御信号を出力する。排出発射制御装置３４は、制御信号の入力に基づき排出装置１９０を制御して所定数の遊技球が払い出されるようにする。また、排出発射制御装置３４は、操作ハンドルの操作に基づく入力および操作ハンドルに設けられた図示しないタッチセンサからの入力に基づき、発射装置６０を制御して遊技球が第１遊技領域３に発射されるようにする。
すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【００６８】
そして、これらの各基板は以下のように遊技機に取り付けられている。
図１，４に示すように、画像表示面１７１における表示データなど、機種に依存するデータが記憶された演出データ装置３２は、ボックス３２ａに収納された状態で、遊技盤１の裏面側下方部に設けられた取り付けベース４０の裏面側であって、後述する裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）や、遊技盤装飾装置５４と接続するためのコネクタ部３２ｊが設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【００６９】
また、図１，２に示すように、複数の機種で共通使用可能な演出制御装置３３は、ボックス３３ａに収納された状態で前面枠本体１３０の裏面側に取り付けられた後述の裏機構枠１６０に取り付けられている。なお、図６に示すように、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。
【００７０】
また、図１，２に示すように、排出装置１９０による賞球の排出、発射装置６０による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【００７１】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００７２】
図１，２および図６から９に示すように、裏機構枠１６０は、裏機構枠本体１６１と、画像を表示する表示ユニット１７３を案内するためのガイド部１６２とを有し、表示ユニット１７３の他、表示ユニット１７３を制御する演出制御装置３３、賞球などを排出する排出装置１９０と排出装置１９０に遊技球を供給する貯留タンク１９２が設けられている。
【００７３】
上述したように、裏機構枠１６０の前から見て左側の端部は、前面枠本体１３０の裏面であって遊技機１００の裏面側から見て右側の側部に回動可能に軸支されており、図１に示すように、前面枠本体１３０に形成されて遊技盤１が嵌め込まれる開口部の上側略半分を裏面側から覆って遊技盤１の裏面に臨む状態から、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における演出データ装置３２が配設される部位を除く遊技盤裏面側の上方部を覆うようになっている。そして、裏機構枠本体１６１において遊技盤１と平行に配され、遊技盤１の裏面側を覆うように配される部分が後面部１６１ａとなる。
【００７４】
図７に示すように、裏機構枠本体１６１は所定の厚みを有し、この裏機構枠本体１６１の前後面に種々の機構体が取り付けられている。裏機構枠本体１６１の前面には、表示ユニット１７３を前側に付勢する表示ユニット付勢手段をなす付勢部材としての圧縮コイルばね１８２を収納する付勢部材収納部１８１や、裏機構枠本体１６１を補強するための補強リブ１６４が形成されている。また、後述するように裏機構枠本体１６１の後面部１６１ａの背面には、演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００７５】
なお、裏機構枠本体１６１の上部には、後述する貯留タンク載置部１８８が形成されており、この部分には周囲壁１８７が形成されていない。また、裏機構枠本体１６１の前面であって上部には、上端部から上下方向に所定幅離れた位置に、周囲壁１８７と平行に左右方向に延在する隔壁１８９が形成されており、裏機構枠本体１６１の前面側に形成された凹部の上下幅が狭められている。
【００７６】
また、この隔壁１８９は、裏機構枠本体１６１の左右端部に沿って形成された周囲壁１８７から所定幅おいた位置で上下方向に沿って上方へ延在するように直角に屈折している。すなわち、裏機構枠本体１６１の前面であって上部には、左右の周囲壁１８７に隣接して、所定の左右幅を有する下側に開口した溝状の凹部１６９ａ，１６９ａが形成されている。この所定の左右幅とは、後述する表示ユニット１７３の上部に形成された被案内部１８の左右幅より若干広い幅であり、この部分が被案内部１８を前後方向に案内する案内部１６９の一部をなす。
【００７７】
また、上述した溝状の凹部１６９ａ，１６９ａと上下に対向するように、裏機構枠本体１６１の前面であって下部には、左右の周囲壁１８７に隣接して、所定の左右幅を有する上側に開口した溝状の凹部１６９ａ，１６９ａが形成されている。この溝状の凹部１６９ａ，１６９ａの所定の左右幅は、後述する表示ユニット１７３の下部に形成された被案内部１８の左右幅より若干広い幅であり、この部分も被案内部１８を前後方向に案内する案内部１６９の一部をなす。
【００７８】
付勢部材収納部１８１は、表示ユニット付勢手段としての圧縮コイルばね１８２の外径と略同じ内径を有する円筒形の凹部で、裏機構枠本体１６１の左右方向の中心に沿って上下に２つ設けられている。この付勢部材収納部１８１に収容される圧縮コイルばね１８２の前側の端部には、表示ユニット１７３の裏面に当接する押圧部材１８６が取り付けられている。この押圧部材１８６は、圧縮コイルばね１８２の内径と略等しい径を有する円柱状の挿入部１８６ａと、挿入部１８６ａの一端部に形成され、挿入部１８６ａより大きい径を有する円形板状の当接部１８６ｂからなり、挿入部１８６ａを圧縮コイルばね１８２に挿入することで、当接部１８６ｂが前側に配され、表示ユニット１７３の裏面に当接するようになっている。
【００７９】
また、裏機構枠本体１６１の前面には、付勢部材収納部１８１が存在する部分と、裏面側に凹部が形成された部分を除いて補強リブ１６４が格子状に形成されている。なお、付勢部材収納部１８１および補強リブ１６４の前端部と、凹部の裏面となる部分は、それぞれ同じ前後位置、すなわち、同一平面上に存在する。
【００８０】
また、裏機構枠本体１６１の前側には、図６，７に示すように、それぞれコ字状のガイド部１６２，１６２が左右の側面を前側に延長するように取り付けられている。
裏機構枠１６０の前面側から見て左側に設けられたガイド部１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられたガイド部１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００８１】
また、後面部１６１ａおよび周囲壁１８７、ガイド部１６２，１６２によって形成される、所定の奥行きを有するとともに前面側（遊技盤１の裏面に臨む側）に開口した略矩形凹室形状の空間（少なくとも背面と左右側面とを囲まれた空間）が、表示ユニット１７３を収納する表示ユニット収納部１６８となる。すなわち、ガイド部１６２，１６２は裏機構枠本体１６１における後面部１６１ａの左右端部の各々に設けられ、周囲壁１８７とともに表示ユニット収納部１６８の側面部をなす。
【００８２】
ガイド部１６２，１６２は、周囲壁１８７の前端部分に接続されるが、その周囲壁１８７は、前端部分が一回り外側に位置するように段状に形成されており、この段状になった部分にガイド部１６２，１６２がちょうど嵌め込まれるようになっている。すなわち、この段状の部分は、ガイド部１６２，１６２の後端部が挿入される挿入部１８７ａをなし、ガイド部１６２，１６２は周囲壁１８７より内側に配される。また、ガイド部１６２，１６２の外側の側面であって後端部には、外側に突出する係止片１６２ｂ，１６２ｂ，…が上下、中央の３個所に形成されている。そして、周囲壁１８７の前端部分に形成された挿入部１８７ａには、ガイド部１６２，１６２を挿入した際に係止片１６２ｂ，１６２ｂ，…と対向する位置に、係止片１６２ｂ，１６２ｂ，…が係合可能な凹部である係合部１８７ｂ，１８７ｂ，…が形成されており、両者が係合をするとともにガイド部１６２，１６２の上部と下部を裏機構枠本体１６１にねじ止めすることでガイド部１６２，１６２が裏機構枠本体１６１に固定されるようになっている。なお、ガイド部１６２，１６２を裏機構枠本体１６１に取り付ける際には、表示ユニット１７３を裏機構枠本体１６１の前面側に配した状態で取り付ける。これにより、表示ユニット１７３が、後面部１６１ａおよび周囲壁１８７、ガイド部１６２，１６２によって形成される表示ユニット収納部１６８に収納された状態で裏機構枠１６０に取り付けられる。
【００８３】
このようなガイド部１６２，１６２は、左右の周囲壁１８７，１８７から裏機構枠本体１６１の中央側へ向かう所定範囲と、裏機構枠本体１６１の上下に形成された溝状の凹部１６９ａ，１６９ａ，…および隔壁１８９で囲まれた領域の前側を覆うように取り付けられる。そして、裏機構枠本体１６１の上下に形成された溝状の凹部１６９ａ，１６９ａ，…と対向するように配される部分には、裏機構枠本体１６１に形成された溝状の凹部１６９ａ，１６９ａ，…と同じ形状をした溝状の凹部（図示略）が形成されている。この溝状の凹部は、ガイド部１６２，１６２の後端部から前後幅の略半分の位置まで形成されている。
【００８４】
そして、ガイド部１６２，１６２を裏機構枠本体１６１に取り付けることによって、溝状の凹部が裏機構枠本体１６１の上下に形成された溝状の凹部１６９ａ，１６９ａ，…と連続する。これにより、上下にそれぞれ対向するように、ガイド部１６２，１６２から裏機構枠本体１６１にかけて前後方向に沿って延在する溝状の凹部である案内部１６９が形成される。すなわち、裏機構枠本体１６１とその前側に配されたガイド部１６２，１６２により形成される表示ユニット収納部１６８における上下の内側面の左右に、表示ユニット１７３の上下の側部にそれぞれ設けられるとともに、前記上下の側部の左端部及び右端部の合わせて４カ所から外側（上側もしくは下側）に突出する後述の被案内部１８，１８，…を前後に移動自在に案内する概略溝状の案内部１６９，１６９，…が設けられることとなる。
【００８５】
また、案内部１６９，１６９，…の一部をなす溝状の凹部が、ガイド部１６２，１６２の前後幅の略半分の位置まで形成されているのにあわせて、ガイド部１６２，１６２の裏機構枠本体１６１の側面に沿って配される部分における後半部分においては、周囲壁１８７のみを前側に延長するように形成されている。すなわち、表示ユニット収納部１６８の内側に位置する壁面および内部に形成された補強リブ１６２ｃは、前半部分にのみ形成され、後半部分には形成されていない。これによって、この範囲においては、裏機構枠本体１６１の前面側の凹部を狭めることなく前側に延長するようになっている。したがって、表示ユニット１７３を収納する表示ユニット収納部１６８は、後面部１６１ａの前面からガイド部１６２，１６２の前後方向の略中央までの前後幅を有することとなる。なお、案内部１６９，１６９，…の前後端部は、角部が曲面となるようにされている。この曲面の形状は、後述する表示ユニット１７３の被案内部１８の形状に合わせて形成されている。また、表示ユニット収納部１６８の前端に位置することとなる補強リブ１６２ｃの後端部も同様に曲面に形成されている。
【００８６】
以上のように形成される表示ユニット収納部１６８には、画像表示面１７１が前側（開口した側）となるように表示ユニット１７３が配設されるようになっている。このとき、表示ユニット１７３に設けられた被案内部１８，１８，…は、溝状の凹部となった案内部１６９，１６９，…内に収容された状態となる。そして、図１に示すように、裏機構枠１６０を遊技盤１の裏面に臨むように配することで、遊技盤１の裏面側に表示ユニット１７３の画像表示面１７１が臨むようになる。なお、裏機構枠１６０が遊技盤１の裏面に臨む状態にあるとき、表示ユニット１７３は遊技盤裏面構成部材１１のベース盤１４の裏面から押圧部１７，１７，…の突出幅の分だけ後方側へ隔離した位置に配されるようになっている。
【００８７】
また、この表示ユニット収納部１６８の上下幅および左右幅は、表示ユニット１７３の上下幅および左右幅よりも大きくなっており、表示ユニット１７３の周囲に空間があいた状態とされる。これによって、表示ユニット１７３の前後方向への移動が容易になるとともに、表示ユニット１７３が表示ユニット収納部１６８内で僅かに傾斜した状態（遊技盤１の左右方向と非平行状態）になることも可能となる。なお、溝状の凹部となった案内部１６９，１６９，…内に被案内部１８，１８，…が収納された状態となっているので、表示ユニット１７３が非平行状態になっても被案内部１８，１８，…が案内部１６９，１６９，…から脱落することがない。
【００８８】
また、表示ユニット１７３は、後述するように、バネ等の弾性部材からなる表示ユニット付勢手段により前方側に向かって付勢された状態となっているが、裏機構枠１６０を開放した状態あるいは、遊技盤１を前面枠１２０から取り外した状態では、ガイド部１６２の前半部分であって、裏機構枠本体１６１の前面側を覆う部分に表示ユニット１７３の被案内部１８の前端部が当接した状態となる。すなわち、この表示ユニット１７３の裏機構枠１６０に対する前後位置が、表示ユニット１７３の前後方向の移動範囲における最も前側の位置である。なお、遊技盤１が装着されて裏機構枠１６０を閉じた状態においては、遊技盤裏面構成部材１１の裏面に設けられて後方に突出する押圧部１７，１７，…が、上述した表示ユニット１７３の前後方向の移動範囲における最も前側の位置より後方に位置するようになっている。よって、押圧部１７の後端部にある押圧部材１７ｂが表示ユニット１７３の前面に密着できるようになっている。
【００８９】
図９に示すように、裏機構枠１６０の後面部１６１ａの背面（裏面）には、前方に窪んで後方に開口した略矩形状の凹部である演出制御装置配設部１６５が形成され、演出制御装置３３を収容したボックス３３ａが配設されている。また、後面部１６１ａの背面であって、演出制御装置配設部１６５が形成された部分には、演出制御装置配設部１６５の前面側に形成された表示ユニット収納部１６８に連通する配線用開口１６５ａが形成されており、この配線用開口１６５ａを通して液晶表示パネル１７５（液晶表示器５５、バックライト５６）と演出制御装置３３とが配線によって接続されるようになっている。
【００９０】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図７に示すように、ボックス３３ａの前面側であって本体部の下縁の下方に延出する部分からは、演出制御装置３３に設けられたコネクタ部３３ｍがボックス３３ａの外側に露出している。
【００９１】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ部３２ｆが設けられている。そして、この演出データ装置３２のコネクタ部３２ｆと演出制御装置３３のコネクタ部３３ｍは、互いに対向するように配されている。
【００９２】
すなわち、図１に示すように、遊技盤１が前面枠本体１３０に取り付けられ、かつ、裏機構枠１６０が遊技盤１の裏面側に配された状態では、演出制御装置３３を収容したボックス３３ａを演出制御装置配設部１６５に収容される状態にすると、演出データ装置３２のコネクタ部３２ｆと演出制御装置３３のコネクタ部３３ｍが連結し、演出データ装置３２と演出制御装置３３が直接接続できるようになっている。また、ボックス３２ａの下側部分の裏面には、遊技制御装置３０を収納したボックス３０ａの一部が配されるようになっており、この部分はその厚みの分だけ薄く形成されている。
【００９３】
また、図８，９に示すように、後面部１６１ａの背面であって、裏機構枠１６０の裏面側から見て、演出制御装置配設部１６５の右側には、演出制御装置３３と他の装置等を接続する配線を収納する接続用凹部１８３が形成されている。この接続用凹部１８３は上下に延在するように形成されており、上側の左右に、演出制御装置配設部１６５、排出装置配設凹部１８５に連通する上部連通部１８３ａ，１８３ｂを備え、下部に裏機構枠１６０の下方に連通する下部連通部１８３ｃを備える。また、接続用凹部１８３の内部であってその上部には、遊技機外部の装置（管理装置など）との通信を行うための枠用外部出力端子２０５ａを備える外部端子基板２０５を取り付ける取付部１８３ｄや、中継基板２０３を取り付けるための取付部１８３ｅが形成されている。
【００９４】
この接続用凹部１８３の上半部は、カバー部材２０４によって覆われるようになっているが、カバー部材２０４の上部には開口部２０４ａが形成されており、カバー部材２０４を取り付けた状態で、外部端子基板２０５の枠用外部出力端子２０５ａが裏機構枠１６０の裏面側に露出するようになっている。また、接続用凹部１８３の下半部は、遊技制御装置３０を収納したボックス３０ａによって覆われるようになっている。このボックス３０ａによって覆われる部分は、後面部１６１ａの厚みがボックス３０ａの厚みの分だけ薄くされており、これに合わせて上述したように演出制御装置３３を収納したボックス３２ａの厚みも、下部が薄くされている。すなわち、後面部１６１ａの背面の下部および上述した演出制御装置３３を収納したボックス３２ａの下側部分には、遊技制御装置３０を収納したボックス３０ａが収納される凹部が形成されている。このように配線を接続用凹部１８３内に収納し、接続用凹部１８３の開口部分をカバー部材２０４およびボックス３０ａで覆って閉鎖することにより、配線が露出してばらけてしまうことを防止することができる。
【００９５】
裏機構枠本体１６１の上面には、下方に窪んだ凹部である貯留タンク載置部１８８が形成されており、ここに遊技機１００が設置される図示しない島設備に設けられた供給装置から供給される遊技球を一時貯留し、排出装置１９０に供給する貯留タンク１９２が取り付けられるようになっている。
【００９６】
貯留タンク１９２は、略矩形箱状の部材であって、その長さ方向が裏機構枠本体１６１の左右方向に沿うとともに、上側に開口するように裏機構枠本体１６１の上面に取り付けられている。この貯留タンク１９２は、遊技機１００が設置される図示しない島設備に設けられた供給装置から供給される遊技球を一時貯留し、排出装置１９０に供給するものである。この貯留タンク１９２の裏機構枠本体１６１の左右方向に沿った幅は、貯留タンク載置部１８８の左右方向に沿った幅に等しい。また、貯留タンク１９２の裏機構枠本体１６１の前後方向に沿った幅は、裏機構枠１６０の前後幅より若干狭いが、貯留タンク載置部１８８の前後幅より広くなっている。そして、貯留タンク１９２は貯留タンク載置部１８８の前後に突出するように載置されており、前側においては表示ユニット収納部１６８の上面の一部をなし、後側においては、流路形成凹部１８４の上面の一部をなしている。
【００９７】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口として遊技球が通過可能な開口（図示略）が形成されている。そして、後面部１６１ａの背面には、この開口に連通する遊技球流路を形成するための流路形成凹部１８４が形成されている。
【００９８】
流路形成凹部１８４は後面部１６１ａの背面であって、裏機構枠１６０の裏面側から見て上側および右側の端部に隣接した位置に形成されている。このうち上側の流路形成凹部１８４は右側に向かって下る傾斜を有する導出流路形成部材載置部１９４を有し、ここに導出流路形成部材１９５が取り付けられ、導出流路２０１が形成されるようになっている。
【００９９】
また、右側の流路形成凹部１８４は、その上下方向の略中央に流路形成凹部１８４に連通する排出装置配設凹部１８５が形成されており、ここに排出装置１９０が取り付けられるようになっている。この排出装置配設凹部１８５は、裏機構枠１６０の中央方向に延在するように形成され、その中央側の端部の一部が接続用凹部１８３に上部連通部１８３ｂを通じて連通している。そして、この排出装置配設凹部１８５を境にして、右側の流路形成凹部１８４の上部には、誘導流路形成部材１９６が取り付けられ、導出流路２０１に連通するとともに排出装置１９０に接続する誘導流路２０２が形成されるようになっている。また、排出装置配設凹部１８５を境にして、右側の流路形成凹部１８４の下部には、流路構成部材１９７が取り付けられ、排出装置１９０から排出された遊技球を下方に流下案内する下部流路１９８が形成されるようになっている。さらに、この流路構成部材１９７によって、誘導流路形成部材１９６に形成された上部球抜き流路に接続する下部球抜き流路１９９が形成されるようになっている。
【０１００】
すなわち、後面部１６１ａの前面は表示ユニット１７３の裏面と対向し、後面部１６１ａの背面に形成された各凹部（流路形成凹部１８４、排出装置配設凹部１８５）には排出装置１９０や遊技球流路（導出流路２０１、誘導流路２０２、下部流路１９８）が取り付けられていることから、遊技球流路および排出装置１９０は表示ユニット１７３の後方側で遊技機１００の前後方向に重合するように配設されていることとなる。
【０１０１】
後面部１６１ａの背面における上側の端部には、流路形成凹部１８４を形成したことにより後方に突出する段部が形成され、この段部の上面が、遊技球の流路を形成する導出流路形成部材１９５を取り付ける導出流路形成部材載置部１９４とされている。導出流路形成部材載置部１９４をなす段部の上面は、その前後幅（段部の後方に突出する幅）が遊技球の直径の２倍よりも広いものとされ、貯留タンク１９２の排出口が形成された位置から後述の誘導流路２０２にかけて、右側に下る傾斜を有するように形成されている。
【０１０２】
この導出流路形成部材載置部１９４に取り付けられる導出流路形成部材１９５は、導出流路形成部材載置部１９４をなす段部の上面と略同じ大きさの底板１９５ａと、底板１９５ａに対し垂直に接続した背面板１９５ｂとからなるＬ字型の板状の部材である。底板上には、前後方向の中央に、傾斜方向に沿った仕切壁１９５ｃが形成されていて、これにより、遊技球の直径の２倍より広い前後幅を有する底板１９５ａの上面が二分され、二条の導出流路２０１が形成されるようになっている。なお、導出流路２０１には、遊技球が上下に数段重なって流下するが、仕切壁１９５ｃの高さは遊技球の直径程度とされ、底板１９５ａ上を流下する遊技球のみが確実に二条に並ぶようにされている。
【０１０３】
そして導出流路形成部材１９５は、底板１９５ａが導出流路形成部材載置部１９４上に配され、かつ、背面板１９５ｂが導出流路形成部材載置部１９４の後端部側に配されるように取り付けられる。これによって、図２に示すように、背面板１９５ｂは段部下方の後面部１６１ａの背面と略同一面を形成するようになる。また、背面板１９５ｂの上下幅は、段部の上面から裏機構枠本体１６１の上面に取り付けられた貯留タンク１９２の下端までの幅とされ、段部の後端部と略同じ位置まで後方に突出する貯留タンク１９２に背面板１９５ｂの上端部を固定できるようになっている。
【０１０４】
すなわち、導出流路形成部材１９５の底板１９５ａが貯留タンク１９２の排出口から誘導流路２０２に至る導出流路２０１の底面をなすとともに、背面板１９５ｂと段部上方の後面部１６１ａの背面が導出流路２０１の側面をなす。また、裏機構枠本体１６１の上部に設けられた貯留タンク１９２が導出流路２０１の上面をなし、貯留タンク１９２の後端部に背面板１９５ｂの上端部が固定されることで、後面部１６１ａの背面に筒状の導出流路２０１が形成されることとなる。
【０１０５】
裏機構枠本体１６１の裏面側から見て右側の流路形成凹部１８４に取り付けられた誘導流路形成部材１９６は、その内部に導出流路２０１に連通するとともに排出装置１９０に接続する誘導流路２０２が形成されている。この誘導流路形成部材１９６は、後面部１６１ａの背面における上側に形成された流路形成凹部１８４と右側に形成された流路形成凹部１８４の接続部分、すなわち、裏機構枠本体１６１の裏面側から見て右上の角部に沿って配されるＬ字形の部材であり、流路形成凹部１８４に形成されたボス１８４ａ，１８４ａ（図９に図示）が挿入されることで取り付けられている。また、誘導流路形成部材１９６の内部には、前後二列にかつ上下一段で遊技球を流下させる誘導流路２０２が形成されている。
【０１０６】
このＬ字形をした誘導流路形成部材１９６の一端部であって、上側の流路形成凹部１８４に配される部分には、上述の導出流路２０１に連通し、誘導流路２０２の入口をなす流入口１９６ａが形成されている。この流入口１９６ａは、導出流路２０１に連続する前後二条の流路を有し、上部には、導出流路２０１の下流側における上端部から流入口１９６ａの上部にかけて下る傾斜を有する板状の案内部材１９６ｂが設けられている。この案内部材１９６ｂは、導出流路２０１内で上下に数段重なって流下する遊技球を押さえるとともに、流入口１９６ａに向かって上下一段になるように案内するものである。なお、板状の案内部材１９６ｂは、積み重なった状態の遊技球同士が噛み合ってブリッジを形成することを防止するため、下流側の端部が回動可能に軸着されているとともに上流側の端部におもり１９６ｈが取り付けられて上下に揺動可能に構成されている。
【０１０７】
そして、誘導流路形成部材１９６内には、誘導流路２０２の底面をなす底板１９６ｃが上下に３段形成されている。最も上側の底板１９６ｃは流入口１９６ａに連続し、流入口１９６ａから流入した遊技球を、裏機構枠本体１６１の裏面側から見て右側に流下案内するように右側に傾斜し、その下側に配される底板１９６ｃは逆に右から左へ傾斜し、さらにその下側に配される底板１９６ｃは、最も上側の底板１９６ｃと同じく左から右へと傾斜している。また、各底板１９６ｃは、図示しないが前後に並んだ二条の流路を有しており、このような底板１９６ｃによって、左右に折り返しながら下方へ延在する誘導流路２０２が形成され、流入口１９６ａから流入した遊技球が左右に折り返しながら下流側へ案内されるようになっている。なお、各底板１９６ｃは、遊技球が一段で流下するような間隔で配されている。そして、このように形成された誘導流路２０２は、誘導流路形成部材１９６の下端部に形成された排出口１９６ｄが排出装置１９０の流入口１９０ａに接続するようになっている。
【０１０８】
また、誘導流路形成部材１９６の最も上側の底板１９６ｃによって形成された流路の途中には、上部に半端センサ１９６ｅが設けられている。この半端センサ１９６ｅは、基本的には、貯留タンク１９２および導出流路２０１内の遊技球の残量が１回に払い出される遊技球数のうちの最大数より少なくなった場合に、１回の排出数に満たない半端な数の遊技球が払い出されるのを防止するものである。また、半端センサ１９６ｅは、貯留タンク１９２に遊技球が無いのに、排出装置１９０が作動するのを防止すものである。そして、半端センサ１９６ｅは遊技球を非接触で検出する近接センサなど、遊技球を検出するセンサで構成され、半端センサ１９６ｅから遊技球を検出する信号が途絶えた場合（遊技球を検出していないことを示す信号が出力された場合）に、排出発射制御装置３４が、島設備側から遊技球が補給されて、半端センサ１９６ｅから遊技球を検出していることを示す信号が入力するまで、遊技球の排出を停止する制御を行う。
【０１０９】
また、最も上側の底板１９６ｃの下流側端部であって誘導流路２０２の折り返し部分には、遊技球が流下する流路を球抜き流路と誘導流路２０２とに切り替える切替部材１９６ｆが設けられている。この切替部材１９６ｆは、常時、遊技球を下段の誘導流路２０２に案内するようになっているが、球抜きの際に、この切替部材１９６ｆを外部から操作することによって、遊技球が誘導流路２０２に隣接して形成された上部球抜き流路１９６ｇへ案内するように切り替えることができる。なお、上部球抜き流路１９６ｇは、後述する流路構成部材１９７に形成された下部球抜き流路１９９とで球抜き流路を形成するものであって、貯留タンク１９２および導出流路２０１内の遊技球を遊技機１００の外部（島設備の回収樋）に抜き取るためのものである。
【０１１０】
排出装置１９０は、裏機構枠本体１６１の裏面側から見て、右側の流路形成凹部１８４における上下方向の略中央に形成された排出装置配設凹部１８５に、ここに形成されたフック１８５ａ（図９に図示）で係止されることにより取り付けられている。この排出装置１９０は略直方体状であって、上部に遊技球を受け入れる流入口１９０ａを、下部に遊技球を排出する排出口１９０ｂを備えている。また、内部には、外周に遊技球を受け入れ可能な複数の球受け凹部１９０ｃ，１９０ｃ，…を有するスプロケット１９０ｄ、このスプロケット１９０ｄを回転駆動する駆動源１９０ｅ（例えばステッピングモータ）、配線の中継基板１９０ｆを備えている。
【０１１１】
排出装置１９０を排出装置配設凹部１８５に配設した状態では、流入口１９０ａに誘導流路形成部材１９６の排出口１９６ｄが接続し、誘導流路２０２を流下した遊技球が排出装置１９０内に流入するようになっている。また、駆動源１９０ｅは排出装置配設凹部１８５において、流路形成凹部１８４より裏機構枠１６０の中央側に延在した部分に配されるようになっており、この部分が駆動源配設部１８５ｂとなる。このように、駆動源１９０ｅが裏機構枠１６０の中央側に配されることで、排出装置１９０が後面部１６１ａの背面において左右方向に延在するようになり、後方への厚みを少なくできるようになっている。
【０１１２】
誘導流路２０２から排出装置１９０内に流入した遊技球は、排出装置１９０内の排出流路１９０ｉを通ってスプロケット１９０ｄの上部に至り、スプロケット１９０ｄの外周に形成された球受け凹部１９０ｃに１つずつ保持される。スプロケット１９０ｄは駆動源１９０ｅによって所定角度ずつ回転するようになっており、これに伴って球受け凹部１９０ｃに保持された遊技球も下方へ移動し、球受け凹部１９０ｃで保持できない角度まで回転すると、遊技球がスプロケット１９０ｄの下方に形成された排出流路１９０ｉに流入するようになっている。
【０１１３】
なお、排出装置１９０にも誘導流路２０２と同様に前後に並んだ二条の流路が設けられており、これに対応してスプロケット１９０ｄは前後に２つ設けられている。ただし、前後のスプロケット１９０ｄは、１つの駆動源１９０ｅにより一緒に回転するようになっており、球受け凹部１９０ｃの位置を周方向に沿って互いにずれた位置に設ける（位相をずらして設ける）ことで、所定角度回転するごとに前後の流路から交互に遊技球が下方に流下するようになっている。すなわち、遊技球流路からの遊技球を一個宛排出可能に構成されている。また、スプロケット１９０ｄより下流側の流路は一条の流路とされている。
【０１１４】
スプロケット１９０ｄの下方に形成された流路に流入した遊技球は、排出球センサ１９０ｇによって検出された後、排出装置１９０の下方に形成された排出口１９０ｂから排出される。この排出口１９０ｂには、流路構成部材１９７に形成された下部流路１９８の流入口が接続しており、排出口１９０ｂから排出された遊技球は下部流路１９８に流入し、さらに下方へ流下案内される。
【０１１５】
また、排出装置１９０には、配線を中継する中継基板１９０ｆが設けられており、この中継基板１９０ｆのコネクタ１９０ｈは、接続用凹部１８３と排出装置配設凹部１８５が連通する上部連通部１８３ｂに面する排出装置１９０の側面に露出している。そして、このコネクタ１９０ｈに接続された配線は、上部連通部１８３ｂから接続用凹部１８３を通って下部連通部１８３ｃに至り、排出発射制御装置３４に接続されるようになっており、排出発射制御装置３４が遊技制御装置３０の制御の下で排出装置１９０を制御できるようになっている。
【０１１６】
排出装置配設凹部１８５を境にして、右側の流路形成凹部１８４の下部には流路構成部材１９７が取り付けられて、排出装置１９０から排出された遊技球を下方に流下案内する下部流路１９８が形成されている。この下部流路１９８は、その流入口が排出装置１９０の排出口１９０ｂに接続しており、ここから流入した遊技球は下部流路１９８に沿って下方に案内される。そして、下部流路１９８の下端部の排出口は遊技機前面側の上皿に連通する流路に接続しており、これによって排出装置１９０から排出された所定数の遊技球が、発射操作ユニット１５０の前面に形成された上皿に払い出されるようになっている。
【０１１７】
また、この流路構成部材１９７は、排出装置１９０を介さずに誘導流路２０２から遊技機の外部に遊技球を排出する球抜き流路の一部をなす下部球抜き流路１９９も形成している。この下部球抜き流路１９９は、誘導流路形成部材１９６の下端部に設けられた上部球抜き流路１９６ｇの排出口に接続し、排出装置１９０の側方を通って下方に延在するように形成されており、その下端部の排出口は遊技機１００の外部（島設備の回収樋）に連通する流路に接続するようになっている。
【０１１８】
以上のような構成によって、図示しない島設備の供給装置から供給され、貯留タンク１９２に貯留された遊技球は、貯留タンク１９２底面の傾斜によって裏機構枠１６０の裏面側に位置する排出口に誘導される。排出口から排出された遊技球は、裏機構枠１６０の裏面側に形成された導出流路２０１を流下して誘導流路２０２を経て排出装置１９０に至る。そして、排出装置１９０が動作することによって、下部流路１９８を経て発射操作ユニット１５０の前面に形成された上皿に排出される。なお、貯留タンク１９２の排出口から排出装置１９０に至る流路内には、常に遊技球が待機している状態となっており、排出装置１９０によって流路内の遊技球が排出されることに伴って貯留タンク１９２から流路に遊技球が流入するようになっている。なお、後面部１６１ａの背面に配される上述した各種部材は、その裏面が略同一面をなすような前後幅に形成されている。
【０１１９】
表示ユニット１７３は、図６，７に示すように、前面側が開口した矩形箱状（額縁状）に形成された表示ユニットケース１７４と、この矩形箱状の表示ユニットケース１７４に収容された液晶表示パネル（液晶表示器５５、バックライト５６を含む）とを有する。そして、表示ユニットケース１７４の前面側から液晶表示パネル１７５の画像表示面１７１を有する前面が露出している。
【０１２０】
表示ユニットケース１７４は金属製であって、上述した裏機構枠１６０の案内部１６９，１６９，…に案内される被案内部１８，１８，…を有し、裏機構枠１６０の表示ユニット収納部１６８内において前後動自在に配される。被案内部１８，１８，…は表示ユニットケース１７４の上下の側部であって、左端部及び右端部の合わせて４ヶ所から側部に対して垂直に外側に突出するように設けられている。この被案内部１８，１８，…は、摩擦係数が低い材質（例えば、ポリアセタール、金属）からなる被案内部材１８ａを、表示ユニットケース１７４の上下部（上下面の左右両端）に固定することで形成されている。また、表示ユニット１７３の下面に設けられた被案内部１８，１８は、その下部に滑動体として左右方向に沿った回転軸を有するローラ（図示略）を備えており、このローラが案内部１６９，１６９の底面に接するようになっている。
【０１２１】
このような構成によって、案内部１６９に対して摩擦係数が低い材質からなる被案内部１８もしくは回転可能なローラが当接することとなり、被案内部１８と案内部１６９との間の摩擦抵抗が軽減され、表示ユニット１７３を円滑に前後方向に移動することができるようになる。
【０１２２】
表示ユニットケース１７４の裏面には、表示ユニットケース１７４に収納される液晶表示パネル１７５と、裏機構枠１６０の裏面側に配される演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７３を表示ユニット収納部１６８に収納した際に、後面部１６１ａに形成された配線用開口１６５ａと対応する位置でもある。
【０１２３】
液晶表示パネル１７５は、矩形板状であって表示ユニットケース１７４にちょうど収まる大きさとなっている。この液晶表示パネル１７５は、液晶表示器５５とバックライト５６などから構成され、液晶表示器５５の画像表示面１７１が、前側に臨むように配されている。
【０１２４】
液晶表示器５５の画像表示面１７１の面積は、前面枠本体１３０に形成された開口部に嵌め込まれた遊技盤１の下側の一部を除く大部分を裏面側から覆うことができる面積となっており、遊技盤裏面構成部材１１に形成された視認開口１５よりも広いものである。すなわち、画像表示面１７１の面積が、少なくとも遊技盤裏面構成部材１１に形成された視認開口１５よりも広く、遊技盤裏面構成部材１１に形成された視認開口１５の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１に対応できるようになっている。
【０１２５】
また、液晶表示器５５は、画像表示面１７１の面積が遊技盤裏面構成部材１１に形成された視認開口１５よりも広いので、遊技盤裏面構成部材１１に形成された視認開口１５から露出する領域に所定の画像が表示されるように演出制御装置３３によって制御されている。この画像表示領域を決定する遊技盤１の遊技盤裏面構成部材１１に形成された視認開口１５の大きさや位置に関する初期情報や、変動表示ゲームの画像に関する情報は演出データ装置３２に記憶されているが、演出データ装置３２は遊技盤１に取り付けられており、遊技盤１と一緒に演出データ装置３２も交換される。よって、遊技盤１の交換に伴い、例えば、これまでの遊技盤に対応した画像表示領域から、新たな遊技盤１に対応した画像表示領域に変更できるようになっている。
【０１２６】
以上のような構成によって、液晶表示器５５を備えた表示ユニット１７３は、裏機構枠１６０に前後移動可能に保持されることとなる。
【０１２７】
次に、表示ユニット１７３の前後位置調整について説明する。表示ユニット１７３の位置調整は、例えば、裏機構枠１６０を閉めた状態で遊技盤１を前面枠１２０にその前面側から取り付ける場合、もしくは、メンテナンスなどのために前面枠本体１３０に遊技盤１が取り付けられた状態で裏機構枠１６０を開放した状態から閉鎖した状態とする場合に行われる。
ここでは、一例として、裏機構枠１６０を閉鎖した状態で遊技盤１を前面枠１２０に取り付ける場合における表示ユニット１７３の位置調整について説明する。なお、すでに開口部から古い遊技盤１が取り外されており、裏機構枠１６０は、前面枠本体１３０の裏面側に表示ユニット１７３が臨む状態（閉鎖した状態）とされているものとする。また、遊技盤１の裏面側にある演出データ装置３２の裏面側に取り付けられた遊技制御装置３０を収納したボックス３０ａは、後方に回動し水平な状態となっているものとする。
【０１２８】
前面枠本体１３０の開口部の前面側から見て左側、すなわち、裏機構枠１６０が軸着された側には、遊技盤１の一側部を係止する係止部材（図示略）が設けられていて、遊技盤１を開口部に取り付ける際には、まず、開口部に対してその前側から、遊技盤１の一側部に設けられた被係止部２１をこの係止部材に係止させるように斜めに挿入する。そして、係止部材によって係止された側を軸として、遊技盤１を遊技機１００の後方側へ回動させながら開口部に嵌め込む。
【０１２９】
ここで、裏機構枠１６０に保持されている表示ユニット１７３は、表示ユニット収納部１６８内で前後移動可能に、かつ、表示ユニット付勢手段としての圧縮コイルばね１８２によって前方向に付勢された状態で収納されており、裏機構枠１６０を開放した状態では、被案内部１８の前面が案内部１６９の前端を形成するガイド部１６２に接する位置に配される。
【０１３０】
上述のように遊技盤１を後方側に回動させる過程において、遊技盤１の後方に突出する押圧部１７，１７，…は、その後端部に取り付けられた押圧部材１７ｂ，１７ｂ，…が表示ユニット１７３の前面における周縁をなす表示ユニットケース１７４に当接する。そして、遊技盤１を開口部に嵌め込むために、さらに後方側に回動させるのに伴い、表示ユニット１７３は、表示ユニット付勢手段としての圧縮コイルばね１８２の付勢力に抗して後方向へ押し込まれることとなる。
【０１３１】
ここで、遊技盤１は、係止部材によって係止された一側部を軸として回動するので、遊技盤裏面構成部材１１の裏面に設けられた押圧部１７，１７，…のうち、裏面側から見て右側、すなわち遊技盤１の回動軸に近い側に設けられた押圧部１７，１７が先に表示ユニット１７３の前面に当接する。より詳しくは、遊技盤１の回動軸に近い側にある押圧部１７の後端部に取り付けられた押圧部材１７ｂに設けられたローラ２０が、表示ユニット１７３の前面における周縁をなす表示ユニットケース１７４に当接する。表示ユニット１７３は、表示ユニット収納部１６８内で若干傾斜した状態（表示ユニット１７３が裏機構枠１６０の左右方向と非平行状態）となることが可能であり、押圧部１７（ローラ２０）が当接した側が、より後方向に押し込まれるように傾斜した状態で移動する。
【０１３２】
遊技盤１を回動させる過程において、遊技盤１の回動軸に近い側に設けられた押圧部１７は、表示ユニット１７３の前面にローラ２０が当接した状態で、表示ユニット１７３を後方へ押圧しつつ、左右方向に沿って移動することとなる。この際、ローラ２０が回転することにより、円滑に移動することが可能となっている。
【０１３３】
また、遊技盤１は回動させることで徐々に遊技機１００の左右方向に沿うようになるが、この過程において、ローラ２０以外に押圧部材１７ｂも表示ユニット１７３の前面に当接し、表示ユニット１７３を後方へ押圧しつつ、左右方向に沿って移動することとなる。この際、押圧部材１７ｂが摩擦係数の低い材質からなることから円滑に移動することが可能となっている。
【０１３４】
また、遊技盤１を回動させる過程において、表示ユニット１７３は表示ユニット収納部１６８内で後方へ移動することとなるが、この表示ユニット１７３は、上述したように上下側面に設けられた被案内部１８，１８，…が、表示ユニット収納部１６８に形成された案内部１６９，１６９，…に案内されることで前後方向に沿って移動可能となっている。そして、この被案内部１８，１８，…が、摩擦係数の低い材質からなる被案内部材１８ａによって形成されており、案内部１６９，１６９，…の内壁に接する左右方向外側が曲面形状に形成されていることと、表示ユニット１７３の下部側面に設けられた被案内部１８，１８の下面にローラが設けられていることから、円滑に前後移動することが可能となっている。また、表示ユニット１７３は、表示ユニット付勢手段（圧縮コイルばね１８２）によって前側に付勢されているので、前面が押圧部１７の後端部に設けられた押圧部材１７ｂに密着し、遊技盤１と所定の間隔を維持したまま後方へ押圧されることとなる。
【０１３５】
遊技盤１が完全に開口部に嵌め込まれた状態では、遊技機１００の左右方向に平行な状態となる。また、表示ユニット１７３の傾斜も、遊技盤１を回動させることで徐々に遊技機１００の左右方向に沿うようになる。このように、遊技盤１が完全に開口部に嵌め込まれた状態では、表示ユニット１７３の前面が押圧部１７の後端部に設けられた押圧部材１７ｂに面接触する。各押圧部１７の後端部に設けられた押圧部材１７ｂの後端面は、同じ前後位置となっており、表示ユニット１７３は遊技盤１と平行に配される。
【０１３６】
また、表示ユニット１７３は、表示ユニット付勢手段（圧縮コイルばね１８２）によって前側に付勢され、前面が押圧部１７の後端部に設けられた押圧部材１７ｂに密着し、遊技盤１と所定の間隔を維持した状態で保持される。すなわち、遊技盤１と表示ユニット１７３の間には所定間隔を有する空間部が形成された状態となる。また、このときの表示ユニット１７３の前後位置が遊技機１００の使用時における前後位置となる。なお、表示領域区画壁１６の後方突出量は、押圧部１７の後方突出量よりも少なく、表示ユニット１７３の前面に当接はしないが、近接した位置に配されるようになる。
【０１３７】
遊技盤１を後方に回動させることで、遊技盤１の裏面に取り付けられた演出データ装置３２のコネクタ部３２ｆと、裏機構枠１６０の下方に延出した演出制御装置３３のコネクタ部３３ｍが接続され、演出データ装置３２と演出制御装置３３が直接接続される。また、演出データ装置３２の裏面側に取り付けられた遊技制御装置３０は、裏機構枠１６０の下方をくぐり、裏機構枠１６０の裏面側に至る。
【０１３８】
遊技盤１を開口部に嵌め込んだ状態としたら、開口部の前面側から見て右側に設けられた固定部材（図示略）を被固定部２２に係合させ遊技盤１を固定する。
【０１３９】
また、後方に回動した状態の遊技制御装置３０を前方向に回動させて起立した状態とし、裏機構枠１６０の裏面側下部に形成された凹部に収納する。このとき、遊技制御装置３０を前方側に押圧するので、遊技制御装置３０の前方に位置する演出制御装置３３と演出データ装置３２の接続部（コネクタ部３３ｍとコネクタ部３２ｆの接続部）も同時に押圧され、両者の接続が補助される（接続が完全でない場合などはこの動作で押し込まれる）。そして、保持部材３２ｉによって遊技制御装置３０が起立した状態を保持するようにする。さらに、各種配線などを接続して遊技盤１の取付が完了する。
【０１４０】
なお、本実施形態の遊技機１００では、裏機構枠１６０を開閉可能としたが、前面枠１２０に遊技盤１を前側から取り付ける構成の場合は、開閉できない裏機構枠１６０であってもよい。ただし、前面枠本体１３０に対しては着脱自在な構成とする。
また、裏機構枠１６０を別途設けずに、前面枠本体１３０の裏面側に案内部１６９，１６９，…を形成するようにしても良い。
【０１４１】
また、本実施形態の遊技機１００では、前面枠１２０に遊技盤１を前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７３の位置調整が行われることとなる。また、本実施形態のように遊技盤１を前側から取り付ける構成であっても、メンテナンス等の場合に裏機構枠１６０を開放した場合は、再び裏機構枠１６０を閉鎖する際に表示ユニット１７３の位置調整が行われることとなる。
このように、前面枠本体１３０に遊技盤１が取り付けられた状態で裏機構枠１６０を開放した状態から閉鎖した状態とする場合でも、遊技盤１と裏機構枠１６０は、相対的に上述の場合と略同じ動作をすることとなり、上述と同様に表示ユニット１７３の位置調整がなされる。
【０１４２】
すなわち、遊技盤１を前面枠１２０に取り付けることにより、遊技盤１の裏面が裏機構枠１６０に備えられた表示ユニット１７３の前面に臨む状態となる場合や、前面枠１２０に取り付けられた遊技盤１の裏面側を開放した状態から閉鎖した状態にする場合のように、表示ユニット１７３が遊技盤１の後方に位置づけられる際に、表示ユニット１７３の位置調整がなされる。
【０１４３】
また、被案内部材（上下）１８ａ，１８ａ，…の外側にもローラを横向きに設け、被案内部１８，１８，…が案内部１６９，１６９，…の外側壁に接触した場合にローラで転がるようにしても良い。
【０１４４】
次に、以上のような構成を有する遊技機１００における遊技について説明する。
第１遊技領域３内に打ち込まれた遊技球が、普図始動ゲート６内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、表示ユニット１７３表示領域の一部で普図変動表示ゲームを表示するようにしても良い。
【０１４５】
この普図の変動表示ゲームの結果、普図変動表示器における停止表示が特別の結果態様となれば、普図の当たりとなって、普通変動入賞装置９の開閉部材（図示略）が所定時間（例えば、０.５秒間）開放される。これにより、普通変動入賞装置９に遊技球が入賞しやすくなり、特図の変動表示ゲームの始動が容易となる。なお、この普図の変動表示ゲームの当り確率は１／１０となっている。
【０１４６】
そして、第１遊技領域３内に打ち込まれた遊技球が特図の始動口を兼ねる普通変動入賞装置９へ進入して始動条件が成立することに基づき、特図変動表示器において特図の変動表示ゲームを実行可能となっている。また、画像表示面１７１にて複数種類の識別情報（例えば、数字、記号、キャラクタ図柄など）を変動表示させる特図の変動表示ゲームに対応した表示ゲームを実行可能となっている。なお、この表示ゲームは、画像表示面１７１において、複数種類の識別情報を所定時間変動表示させることにより行う。
【０１４７】
また、特図の変動表示ゲームの開始時に、遊技制御装置３０から演出データ装置３２を介して受信した制御信号（演出コマンド）に基づいて（遊技制御装置３０の制御の下に）演出データ装置３２に接続されたドライバ基板の盤装飾ドライバ３５を介して遊技盤装飾装置５４をなす可動演出装置７０が動作する（動作しない場合もある）。この可動演出装置７０の動作によって、遊技者にリーチや大当りの発生の予告を行うようになっている。可動演出装置７０によるリーチや大当りの予告においては、ミラーボール本体７４が回転するとともに、ミラーボール本体７４に対して照明手段８０から光が照射される。さらに、このとき照射される光の色によって、リーチや大当りの発生の信頼度を報知するようになっている。
【０１４８】
そして、特図の変動表示ゲームの結果として、特図変動表示器の表示態様が特別結果態様（たとえば「７」）となった場合には、大当たりとなって第１特別遊技状態（いわゆる、大当たり状態）となる。また、これに対応して画像表示面１７１の表示態様も特別結果態様（例えば、「７，７，７」等のゾロ目数字の何れか）となる。なお、この特図の変動表示ゲームの当り確率は１／３８０となっている。
【０１４９】
そして、第１特別遊技状態では、特別変動入賞装置４の開閉扉４ａを開放することで、大入賞口を閉じた状態から開いた状態に変換し、大入賞口内への遊技球の流入を容易にさせるサイクル遊技が、１６ラウンドを限度に行われるようになっている。
【０１５０】
一方、遊技球が特定入賞口８に入賞して第２遊技領域９０に誘導され、第２遊技領域９０に形成された特別入賞口９２に入賞すると、第２特別遊技状態となる。この第２特別遊技状態では、特別変動入賞装置４の開閉扉４ａを開放することで、大入賞口を閉じた状態から開いた状態に変換し、大入賞口内への遊技球の流入を容易にさせるサイクル遊技が、１０ラウンドを限度に行われるようになっている。
【０１５１】
なお、普図や特図の変動表示ゲームの当り確率はこれに限られるものではない。
また、第１特別遊技状態と第２特別遊技状態とで実行可能なラウンド数もこれに限られるものではない。さらに、第１特別遊技状態と第２特別遊技状態とで実行可能なラウンド数を異なるものとしたが、同じラウンド数実行可能としても良い。
【０１５２】
また、遊技盤裏面構成部材１１を不透明部材又は半透明部材で形成して、表示領域区画壁１６の外側の領域を視認不能又は視認困難にするとしたが、遊技盤本体１０の裏側に不透明なシートを配設したり、遊技盤本体１０にシルク印刷したりして視認不能又は視認困難にするようにしても良い。
【０１５３】
以上のような遊技機１００は、前面枠１２０と、該前面枠１２０側に着脱可能であり、透明部材で形成された遊技盤本体１０に障害部材（障害釘）及び入賞装置を設けた遊技盤１と、遊技盤本体１０の後方に所定間隔離して配置され、遊技に関わる変動表示ゲームを表示する表示ユニット１７３と、を備え、遊技盤１の前方から表示ユニット１７３の画像表示面１７１を視認可能とした遊技機１００であって、遊技盤１は、遊技盤本体１０の裏側から表示ユニット１７３側へ向けて延出され、表示ユニット１７３の画像表示面１７１における表示領域を区画する表示領域区画壁１６を設け、表示領域区画壁１６を不透明部材又は半透明部材により形成するとともに、遊技盤１の表示領域区画壁１６の外側に対応する領域を介して表示領域区画壁１６の外側領域が視認不能又は視認困難に構成され、表示領域区画壁１６の内側に対応する遊技盤前面側または表示領域区画壁１６の内側で遊技盤１と表示ユニット１７３との間に、開状態と閉状態とに変換可能な変動入賞装置または変動表示ゲームの演出を行う可動演出装置７０を配設し、変動入賞装置または可動演出装置７０の電気的駆動源（モータ７３）を表示領域区画壁１６の外周に設けている。
【０１５４】
したがって、前面枠１２０と、該前面枠１２０側に着脱可能であり、透明部材で形成された遊技盤本体１０に障害部材及び入賞装置を設けた遊技盤１と、遊技盤本体１０の後方に所定間隔離して配置され、遊技に関わる変動表示ゲームを表示する表示ユニット１７３と、を備え、遊技盤１の前方から表示ユニット１７３の画像表示面１７１を視認可能としたので、遊技盤１を交換する場合でも、表示ユニット１７３は交換する必要がないので、表示ユニット１７３を新たな遊技盤１でも使用できるといった効果を奏する。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用する際にも効果的である。
また、表示ユニット１７３は遊技盤１から所定距離後方に配設されることとなるので、表示ユニット１７３と遊技者との距離を確保でき、表示画像に奥行き感を出すことができるとともに表示が見やすくなり、興趣の高い画像を表示することができる。
【０１５５】
また、遊技盤１には、遊技盤本体１０の裏側から表示ユニット１７３側へ向けて延出された表示領域区画壁１６を設け、該表示領域区画壁１６の外側領域が視認不能又は視認困難に構成され、遊技盤前面側または表示領域区画壁１６の内側に設けられる変動入賞装置または可動演出装置７０の電気的駆動源を表示領域区画壁１６の外周に設けたので、表示領域区画壁１６で区画される表示領域を狭めることなく電気的駆動源を配設できるとともに装飾性を向上できる。
【０１５６】
また、遊技盤本体１０の裏面側には、該遊技盤本体１０の周囲に沿う矩形状の遊技盤裏面構成部材１１が配設され、遊技盤裏面構成部材１１は、不透明部材又は半透明部材により形成され、中央部分に表示ユニット１７３を視認するための視認開口１５を開設し、該視認開口１５の周縁部から表示領域区画壁１６を後方に向けて延出している。
【０１５７】
したがって、遊技盤本体１０の裏面側には、該遊技盤本体１０の周囲に沿う矩形状の遊技盤裏面構成部材１１が配設され、該遊技盤裏面構成部材１１は、不透明部材又は半透明部材により形成され、中央部分に開設した視認開口１５の周縁部から表示領域区画壁１６を後方に向けて延出したので、遊技盤裏面構成部材１１で表示領域区画壁１６の外側領域を視認不能又は視認困難にすることができる。
【０１５８】
次に、上述した遊技機１００における遊技盤１の第１変形例について図１１から１３を参照して説明する。なお、以下の説明では、上述した遊技機１００と同様の構成については、同じ符号を付して説明を省略する。
本変形例の遊技盤１ａは、第１遊技領域３（遊技盤１ａの前面側）に、表示領域区画壁１６の内周面に形成される第２遊技領域２１０への流入口２１１をなす変動入賞装置２１２が設けられている。また、第２遊技領域２１０には、遊技球の流下方向を変換する流下方向変換部材２２９，２２９が設けられている。
【０１５９】
図１１に示すように、第２遊技領域２１０への流入口２１１をなす変動入賞装置２１２は、遊技盤１ａの前面に形成された第１遊技領域３内であって、遊技盤１ａの裏面側において表示領域区画壁１６で囲まれた領域の前面側となる部分に設けられている。すなわち、遊技盤１ａの前面側から表示ユニット１７３の画像表示面１７１を視認可能な領域に設けられている。
【０１６０】
この変動入賞装置２１２は、遊技盤１ａに形成された開口部２１３に前側から挿入することで取り付けられるようになっていて、第１遊技領域３の前面側に突出するように配される前方部２１４、遊技盤１ａに形成された開口部２１３に挿入される後方部２１５、変動入賞装置２１２を遊技盤１に固定するための取付ベース２１６とを有する。
【０１６１】
前方部２１４には、第１遊技領域３を流下する遊技球を受け入れる流入口２１１が形成されており、変動入賞装置２１２は、この流入口２１１が上側に開口するように遊技盤１ａに取り付けられている。また、前方部２１４の内部には、この流入口２１１に流入した遊技球を後方へ流下案内する流路２１７が形成されている。さらに、前方部２１４は、第１遊技領域３の前面側に配されることから、遊技盤１の装飾に合わせた装飾がなされており、第１遊技領域３における装飾部材としての機能も有している。
【０１６２】
また、前方部２１４には、左右一対の開閉部材２１８，２１８が備えられている。このそれぞれの開閉部材２１８の裏面の下部には、該裏面に対して垂直に回動軸２１９が形成されており、後方部２１５に形成された前後方向に沿って延在する挿通穴に挿通されることで、開閉部材２１８が回動軸２１９を中心に遊技盤１ａの前面に沿って回動可能に支持されている。なお、回動軸２１９の後端部は後方部２１５の裏面側に突出しており、後述するように、ここにリンク部材２２１が固定されることで、開閉部材２１８が挿通穴から抜けないように保持されるようになっている。
【０１６３】
この開閉部材２１８，２１８は、後述するように付勢部材としての圧縮コイルばね２２５ａによって、図１３（ａ）に示すように、常時は遊技球が１個流入可能な程度の間隔で閉じた閉状態（遊技者にとって不利な状態）を保持するようになっている。なお、図１１に示すように、変動入賞装置２１２の上部には障害釘２２０，２２０，２２０が設けられており、開閉部材２１８，２１８の間に遊技球が１個流入可能な間隔があっても遊技球が流入できないようにされている。また開閉部材２１８，２１８は、所定条件の成立（特図の変動表示ゲームの結果）に伴い、図１３（ｂ）に示すように、その先端部が互いに離れるように、逆「ハ」の字状に回動して遊技球が流入し易い開状態（遊技者にとって有利な状態）に変化するようになっている。
【０１６４】
図１１に示すように、取付ベース２１６は、前方部２１４と後方部２１５の境界部分における外周面から鍔状に延出するように形成されており、変動入賞装置２１２の後方部２１５を、遊技盤１ａに形成された開口部２１３に前側から挿入した際に、遊技盤１ａの前面に当接して後方への移動を規制するようになっている。さらに、この取付ベース２１６が適当な固定手段（ねじ止めや接着、係合部材による係合など）により遊技盤１ａに固定されることで、変動入賞装置２１２が遊技盤１ａに固定されるようになっている。なお、この取付ベース２１６も前方部２１４と同じく第１遊技領域３の前面側に配されるものであって、第１遊技領域３における装飾部材としての機能を有している。
【０１６５】
図１２に示すように、前方部２１４に連続する後方部２１５は、遊技盤１ａに形成された開口部２１３にちょうど嵌るような断面形状をしており、その前後幅は遊技盤１ａの厚みと略等しくなっている。この後方部２１５の内部には、前方部２１４から連続する流路２１７が形成されており、後方部２１５の後端部にこの流路２１７の流出口が形成されている。すなわち、変動入賞装置２１２は、前方部２１４に形成された流入口２１１から第１遊技領域３を流下する遊技球を受入可能であるとともに、前方部２１４および後方部２１５に形成された流路２１７によって、受け入れた遊技球の流下方向を９０度変換して、遊技盤１ａの前後方向に沿って後方側へ誘導するようになっている。なお、前方部２１４から後方部２１５にかけて連続する流路２１７の底面は、後方に向かって下るような傾斜面とされており、前方部２１４の流入口２１１から流入した遊技球が円滑に後方へ流下するようになっている。
【０１６６】
この後方部２１５の裏面側には、開閉部材２１８，２１８を開状態と閉状態とに変換するための、棒状のリンク部材２２１，２２１が、左右それぞれの開閉部材２１８，２１８に対応して設けられている。このリンク部材２２１の一端部は、上述した開閉部材２１８に形成された回動軸２１９の後端部に、回動軸２１９の延在方向に対して垂直に固定されていて、開閉部材２１８が閉状態にあるときに、対向する開閉部材２１８側に向かって水平に延在するようになっている。また、リンク部材２２１の他端部は、開閉部材２１８の回動軸２１９と平行な軸を介して駆動伝達部材２２２と回動可能に接続されている。
【０１６７】
駆動伝達部材２２２は、透明な材質からなる棒状の部材であって、一端が駆動源としてのソレノイド２２３の駆動軸２２５に接続し、他端側がリンク部材２２１に接続しており、ソレノイド２２３の駆動力をリンク部材２２１に伝えるものである。この駆動伝達部材２２２は、リンク部材２２１と接続する側の端部が二股に分かれており、その先端のそれぞれに、左右の開閉部材に接続したリンク部材２２１が接続されている。また、駆動伝達部材２２２は上下方向に延在するように配され、上側の端部は、表示領域区画壁１６に形成された図示しない開口を通って、表示領域区画壁１６の外周面に設けられたソレノイド２２３に接続している。
【０１６８】
表示領域区画壁１６の外周面であって、変動入賞装置２１２の上方に位置する部分には、開閉部材２１８，２１８を開閉駆動する駆動源としてのソレノイド２２３が取り付けられている。このソレノイド２２３は、表示領域区画壁１６の外周面に取り付けられた支持部材２２４を介して取り付けられている。
【０１６９】
支持部材２２４は断面コ字状の部材で、開口した側が表示領域区画壁１６の外側面と対向するように配され、支持部材２２４と表示領域区画壁１６の外周面とで矩形筒状の空間である接続部２２４ａを形成している。そして、支持部材２２４の表示領域区画壁１６と平行に配される部分の上面には、ソレノイド２２３が取り付けられ、その駆動軸２２５は図示しない開口を通って下向きに接続部２２４ａへ突出し、その先端部に接続部材２２６を介して駆動伝達部材２２２が接続されている。
【０１７０】
また、接続部２２４ａ内における接続部材２２６と支持部材２２４との間には、ソレノイド２２３の駆動軸２２５が内部に挿通された状態で付勢部材としての圧縮コイルばね２２５ａが配されている。この圧縮コイルばね２２５ａは、一端が支持部材２２４のソレノイド２２３が取り付けられた部分の内面に接し、他端が接続部材２２６の上面に接していて、常に接続部材２２６を下方に付勢するようになっている。このように圧縮コイルばね２２５ａによって接続部材２２６が下方に付勢されていることにより、ソレノイド２２３の駆動軸２２５は、常時は伸張した状態となり、また、駆動伝達部材も上下方向に沿った可動範囲の下端部に位置するようになって、開閉部材２１８，２１８が閉じた状態で保持されるようになっている。
【０１７１】
以上のような構成を有する変動入賞装置２１２は、図１３（ａ）に示すように、常時は圧縮コイルばね２２５ａの付勢力によって駆動伝達部材２２２が下方に押圧され、開閉部材２１８，２１８が閉じた閉状態を保持するようになっている。このとき、リンク部材２２１，２２１は対向する開閉部材２１８側に向かって水平に延在するようになっており、このリンク部材２２１，２２１に駆動伝達部材２２２を介して接続したソレノイド２２３は駆動軸２２５を伸張した状態となっている。
【０１７２】
この状態から、図１３（ｂ）に示すように、ソレノイド２２３が圧縮コイルばね２２５ａの付勢力に抗して駆動軸２２５を退縮すると、駆動伝達部材２２２が引き上げられるとともに、リンク部材２２１，２２１の駆動伝達部材２２２が接続された側が引き上げられる。これによって、リンク部材２２１，２２１の他端部に固定された回動軸２１９，２１９が回動され、開閉部材２１８，２１８が互いに離れるように回動し、開状態に変換される。そして、ソレノイド２２３が駆動軸２２５の退縮を解除すれば、圧縮コイルばね２２５ａの付勢力によって接続部材２２６が押し下げられるとともに駆動伝達部材２２２が押し下げられ、開閉部材２１８，２１８が閉状態に戻るようになっている。
【０１７３】
以上のことから、表示領域区画壁１６の内側に対応する遊技盤前面側に、開状態と閉状態とに変換可能な変動入賞装置２１２を配設し、変動入賞装置２１２の電気的駆動源（ソレノイド２２３）を表示領域区画壁１６の外周に設けたこととなる。
【０１７４】
また、遊技盤本体１０の表示領域区画壁１６の内側に対応する領域に開口部２１３を形成し、該開口部２１３の前面から開状態と閉状態とに変換可能な変動入賞装置２１２を取り付け、変動入賞装置２１２に開状態と閉状態とに変換するためのリンク部材２２１，２２１を設けるとともに、変動入賞装置２１２を開状態と閉状態とに変換する駆動源（ソレノイド２２３）を表示領域区画壁１６の外周に設け、一端側を駆動源に接続し、他端側をリンク部材２２１，２２１に接続し、駆動源の駆動力をリンク部材２２１，２２１に伝える駆動伝達部材２２２を配設し、駆動伝達部材２２２を透明部材により形成したこととなる。
【０１７５】
図１２に示すように、遊技盤本体１０の裏面には、変動入賞装置２１２に入賞した遊技球を下側の表示領域区画壁１６の内周面に形成された第２遊技領域２１０に誘導する球案内流路２２７が設けられている。この球案内流路２２７は、筒状の流路であって、変動入賞装置２１２に形成された流路２１７の流出口に接続しており、変動入賞装置２１２の裏側から下方へ下った後、遊技盤１ａの前面側から見て左方向へ左側の表示領域区画壁１６に至るまで下り、さらに、左側の表示領域区画壁１６の内周面に沿って下方に下るように形成されていて、第２遊技領域２１０をなす下側の表示領域区画壁１６の左端部に遊技球を誘導するようになっている。なお、球案内流路２２７は透明な材質からなる部材で形成され、画像表示面１７１における表示の視認を妨げないようにされている。
【０１７６】
そして、図１３（ｃ）に示すように、下側の表示領域区画壁１６の内周面には、球案内流路２２７を流下した遊技球が流下する第２遊技領域２１０が形成されている。この第２遊技領域２１０は、遊技盤１の前面側から透明な遊技盤本体１０を透して視認可能となっている。
【０１７７】
この第２遊技領域２１０は、遊技盤１ａの前面側から見て右側に下る傾斜面となっていて、その上流部分に上述した球案内流路２２７を流下した遊技球が流入するようになっている。第２遊技領域２１０には、傾斜面に沿って流下する遊技球の流下方向を変更するための突出障害部材２２８，２２８，…や流下方向変換部材２２９，２２９が設けられており、さらに、遊技球が入賞する外れ入賞口２３０，２３０，２３０、当り入賞口２３１が形成されている。
【０１７８】
遊技球の流下方向を変更する突出障害部材２２８，２２８，…は、第２遊技領域２１０における球案内流路２２７の出口に近い上流側の部分に、複数形成された突起状の部材で、球案内流路２２７の出口から流出した遊技球が接触することでその流下方向が変更されるようになっている。この突出障害部材２２８，２２８，…が形成された部分の下流側には、流下方向変換部材２２９，２２９が設けられている。流下方向変換部材２２９，２２９は、第２遊技領域２１０の傾斜方向に沿って配された羽状の部材で、下流側の一端が第２遊技領域２１０に回動可能に軸着されており、ここを中心に上流側の端部が、電気的駆動源としてのソレノイド２３２によって前後方向に揺動可能に構成されている。このソレノイド２３２やソレノイド２３２に接続した配線は、表示領域区画壁１６の外周面に設けられており、遊技者から見えないようになっている。
【０１７９】
以上のことから、遊技盤１には、該遊技盤１の前面側に形成された第１遊技領域３と、表示領域区画壁１６の内周の所要領域に形成され遊技盤本体１０を介して視認可能な第２遊技領域２１０とを備え、第２遊技領域２１０に、第２遊技領域２１０を流下する遊技球の流下方向を変換する流下方向変換部材２２９，２２９を設け、流下方向変換部材２２９，２２９を駆動する電気的駆動源（ソレノイド２３２）を表示領域区画壁１６の外周に設けたこととなる。
【０１８０】
そして、流下方向変換部材２２９，２２９が設けられた部分の下流側には、入賞口が形成されている。入賞口は、流下方向変換部材２２９，２２９が設けられた部分に近い側に、外れ入賞口２３０，２３０が前後に二つ並ぶように形成され、この外れ入賞口２３０，２３０より下流側の位置であって前後方向の略中央に当り入賞口２３１が形成されている。これらの入賞口は、遊技球が一個入賞可能な大きさに開口した円形の入賞口となっている。なお、第２遊技領域２１０を形成する表示領域区画壁１６の外周面であって、当り入賞口２３１が形成された部分には、遊技球の当り入賞口２３１への入賞を検出するセンサ（図示略）が設けられている。
【０１８１】
さらに、当り入賞口２３１より下流側には、矩形状に開口した外れ入賞口２３０が形成されている。この外れ入賞口２３０は第２遊技領域２１０の前後端の近傍まで達する前後幅を有しており、この外れ入賞口２３０が形成された部分まで流下した遊技球は、全てこの外れ入賞口２３０に入賞することとなる。そして、第２遊技領域２１０に形成された当り入賞口２３１、外れ入賞口２３０，２３０，２３０に入賞した遊技球は、遊技盤裏面構成部材１１の裏面側に取り付けられる取り付けベース４０に形成された流路に流入し、遊技機１００の外部へ誘導されるようになっている。
【０１８２】
また、第１遊技領域３の前面側から見て左下部であって、第２遊技領域２１０より下側となる位置には、始動口２３３が形成されている。この始動口２３３に遊技球が入賞すると、後述するように特図の変動表示ゲームが行われるようになっている。この特図の変動表示ゲームの結果、特別遊技状態の発生や、変動入賞装置２１２の駆動が行われるようになっている。
【０１８３】
以上のような遊技機１００においては、第１遊技領域３内に打ち込まれた遊技球が始動口２３３へ進入して始動条件が成立することに基づき、特図変動表示器において特図の変動表示ゲームを実行可能となっている。また、画像表示面１７１にて複数種類の識別情報（例えば、数字、記号、キャラクタ図柄など）を変動表示させる特図の変動表示ゲームに対応した表示ゲームを実行可能となっている。なお、この表示ゲームは、画像表示面１７１において、複数種類の識別情報を所定時間変動表示させることにより行う。
【０１８４】
そして、この特図の変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１の表示態様も特別結果態様（例えば、「７，７」等のゾロ目数字の何れか）となる。なお、この特図の変動表示ゲームにおける特別結果態様の出現確率は１／３６０となっている。
【０１８５】
そして、特別遊技状態では、特別変動入賞装置４の開閉扉４ａを開放することで、大入賞口を閉じた状態から開いた状態に変換し、大入賞口内への遊技球の流入を容易にさせるサイクル遊技が、１６ラウンドを限度に行われるようになっている。
【０１８６】
一方、特図の変動表示ゲームの結果として、特図変動表示器の表示態様が特定結果態様（たとえば「３」）となった場合には、変動入賞装置２１２が０．８秒開状態に変換する。また、画像表示面１７１の表示態様は特定結果態様（例えば、「７，７」等のゾロ目数字の何れか）以外の表示となる。なお、この特図の変動表示ゲームにおける特定結果態様の出現確率は３５８／３６０となっている。
【０１８７】
そして、開状態に変換された変動入賞装置２１２に遊技球が入賞し、球案内流路２２７を流下して第２遊技領域２１０に至り、当り入賞口２３１に入賞すると特別遊技状態となり、上述と同様に、特別変動入賞装置４の開閉扉４ａを開放することで、大入賞口を閉じた状態から開いた状態に変換し、大入賞口内への遊技球の流入を容易にさせるサイクル遊技が、１６ラウンドを限度に行われるようになっている。
【０１８８】
なお、特図の変動表示ゲームの当り確率はこれに限られるものではない。
また、特図の変動表示ゲームで当りになった場合の特別遊技状態と、第２遊技領域２１０の当り入賞口２３１に入賞した場合の特別遊技状態を同じものとしたが、それぞれの当りでラウンド数を変化させるようにしても良い。
【０１８９】
また、変動入賞装置２１２を遊技盤１ａの前面側に設け、この変動入賞装置２１２の電気的駆動源（ソレノイド２３２）を表示領域区画壁１６の外周に設けるようにしたが、同様の構成で、変動入賞装置２１２の代わりに変動表示ゲームの演出を行う可動演出装置を設けても良い。すなわち、表示領域区画壁１６の内側に対応する遊技盤前面側に、変動表示ゲームの演出を行う可動演出装置を配設し、可動演出装置の電気的駆動源を表示領域区画壁１６の外周に設けても良い、
【０１９０】
以上のような遊技機１００は、表示領域区画壁１６の内側に対応する遊技盤前面側に、開状態と閉状態とに変換可能な変動入賞装置２１２を配設し、変動入賞装置２１２の電気的駆動源（ソレノイド２３２）を表示領域区画壁１６の外周に設けている。
【０１９１】
したがって、表示領域区画壁１６で区画される表示領域を狭めることなく電気的駆動源を配設できるとともに装飾性を向上できる。
【０１９２】
また、遊技盤１には、該遊技盤１の前面側に形成された第１遊技領域３と、表示領域区画壁１６の内周の所要領域に形成され遊技盤本体１０を介して視認可能な第２遊技領域２１０とを備え、第２遊技領域２１０に、第２遊技領域２１０を流下する遊技球の流下方向を変換する流下方向変換部材２２９，２２９を設け、流下方向変換部材２２９，２２９を駆動する電気的駆動源（ソレノイド２３２）を表示領域区画壁１６の外周に設けている。
【０１９３】
したがって、遊技盤１には、該遊技盤１の前面側に形成された第１遊技領域３と、表示領域区画壁１６の内周に形成され、遊技盤本体１０を介して視認可能な第２遊技領域２１０とを備え、該第２遊技領域２１０に、流下方向変換部材２２９，２２９を設けたので、遊技盤１と表示ユニット１７３の間の空間部を利用して興趣のある遊技を行うことができる。
また、流下方向変換部材２２９，２２９を駆動する電気的駆動源を表示領域区画壁１６の外周に設けたので、電気的駆動源が視認可能な領域に露出せず、装飾性を向上することができる。
【０１９４】
また、遊技盤本体１０の表示領域区画壁１６の内側に対応する領域に開口部２１３を形成し、該開口部２１３の前面から開状態と閉状態とに変換可能な変動入賞装置２１２を取り付け、変動入賞装置２１２に開状態と閉状態とに変換するためのリンク部材２２１，２２１を設けるとともに、変動入賞装置２１２を開状態と閉状態とに変換する駆動源（ソレノイド２２３）を表示領域区画壁１６の外周に設け、一端側を駆動源に接続し、他端側をリンク部材２２１，２２１に接続し、駆動源の駆動力をリンク部材２２１，２２１に伝える駆動伝達部材２２２を配設し、駆動伝達部材２２２を透明部材により形成している。
【０１９５】
したがって、遊技盤本体１０に開状態と閉状態とに変換可能な変動入賞装置２１２を取り付け、変動入賞装置２１２に開閉のためのリンク部材２２１，２２１を設けるとともに、変動入賞装置２１２を開閉する駆動源を表示領域区画壁１６の外周に設け、駆動源の駆動力をリンク部材２２１，２２１に伝える駆動伝達部材２２２を透明部材により形成したので、変動入賞装置２１２を第１遊技領域３のどこに配置しても、表示領域を狭めること無く駆動源や配線を隠すことができる。
また、変動入賞装置２１２が不透明部材でも、変動入賞装置２１２の裏面側に駆動源を設けていないので変動入賞装置２１２と表示ユニット１７３との間に空間ができ、顔を少しずらすことで変動入賞装置２１２の後方の表示領域を視認できる。もちろん、変動入賞装置２１２も透明部材で形成するようにしても良い。
【０１９６】
次に、上述した遊技機１００における遊技盤１の第２変形例について図１４，１５を参照して説明する。なお、以下の説明では、上述した遊技機１００と同様の構成については、同じ符号を付して説明を省略する。
本変形例の遊技盤１ｂは、第１遊技領域３に、表示領域区画壁１６の内周面に形成される第２遊技領域２４０への流入口２４１が設けられるとともに、該流入口２４１から一方向に傾斜する第２遊技領域２４０を流下した遊技球を再び第１遊技領域３へ流出する流出口２４２が設けられており、さらに、第２遊技領域２４０には大入賞口をなす変動入賞装置２４５が設けられている。
【０１９７】
図１４に示すように、下側の表示領域区画壁１６の内側面は、遊技盤１ｂの前面側から見て右方向へ下る傾斜面とされ、ここが第２遊技領域２４０とされている。この第２遊技領域２４０は、遊技盤１の前面側から透明な遊技盤本体１０を透して視認可能となっている。
【０１９８】
この第２遊技領域２４０の上流側端部に対応する第１遊技領域３には、第２遊技領域２４０への流入口２４１が形成されている。この流入口２４１は、遊技盤本体１０に形成された矩形状の開口であって、その下端部に、遊技盤本体１０の前面から前方に突出するとともに後方へ向かって下る傾斜を有する案内部材２４３が形成されている。この案内部材２４３によって第１遊技領域３を下方へ流下する遊技球を受け止めるとともに、効率よく第２遊技領域２４０へ案内するようになっている。また、第２遊技領域２４０の下流側端部に対応する第１遊技領域３には、第２遊技領域２４０からの流出口２４２として、遊技盤本体１０に矩形状の開口が形成されている。
【０１９９】
図１５に示すように、第２遊技領域２４０には、始動口２４４としての入賞口と、大入賞口としての変動入賞装置２４５が形成されている。
始動口２４４は、第２遊技領域２４０の上流側部分であって、第１遊技領域３からの流入口２４１近傍に形成された、遊技球が一個入賞可能な大きさの円形の開口である。そして、第２遊技領域２４０を形成する表示領域区画壁１６の外周面であって、始動口２４４が形成された部分には、遊技球の始動口２４４への入賞を検出するセンサ２４４ａが設けられている。このセンサ２４４ａから出力される遊技球の検出信号は、遊技制御装置３０に入力されるようになっている。
【０２００】
変動入賞装置２４５は、第２遊技領域２４０の流下方向における略中央に設けられている。この変動入賞装置２４５は、表示領域区画壁１６に形成された矩形状の開口である大入賞口２４６と、この大入賞口２４６を開放して遊技球を受け入れ可能な開状態と、大入賞口２４６を閉鎖して遊技球を受け入れずに下流側へ流下させる閉状態とに変換する開閉手段２４７とを備える。
【０２０１】
開閉手段２４７は、大入賞口２４６の上部を覆う開閉板２４８と、開閉板２４８を駆動する電気的駆動源としてのソレノイド２４９とを備える。
ソレノイド２４９は、大入賞口２４６よりも上流側にある表示領域区画壁１６の外周面（第２遊技領域２４０の裏面側）にあって、その駆動軸２５０が、第２遊技領域２４０における遊技球の流下方向に沿って、大入賞口２４６側に向かって伸縮可能に配されている。この駆動軸２５０の先端には、大入賞口２４６を開閉するための開閉板２４８が取り付けられている。
【０２０２】
開閉板２４８は、大入賞口２４６の前後の縁部に形成された段状の案内部２５１，２５１に沿ってスライド可能な矩形状の板部材である。第２遊技領域２４０において、大入賞口２４６が形成された部分は、上流側に位置する表示領域区画壁１６よりも一段低くなっており、この段差部分の下部に形成された開口２５２を通って、ソレノイド２４９の駆動軸２５０に接続された開閉板２４８が出没するようになっている。そして、ソレノイド２４９が駆動軸２５０を伸張した状態では、開閉板２４８が大入賞口２４６の上部を覆った閉状態となり、ソレノイド２４９が駆動軸２５０を退縮した状態では、開閉板２４８が上流側へスライドして大入賞口２４６から退避し、大入賞口２４が開放された開状態となる。
【０２０３】
以上のことから、表示領域区画壁１６の内側に対応する表示領域区画壁１６の内側で遊技盤１と表示ユニット１７３との間に、開状態と閉状態とに変換可能な変動入賞装置２４５を配設し、変動入賞装置２４５の電気的駆動源（ソレノイド２４９）を表示領域区画壁１６の外周に設けたこととなる。
【０２０４】
また、遊技盤１には、該遊技盤１の前面側に形成された第１遊技領域３と、表示領域区画壁１６の内周の所要領域に形成され遊技盤本体１０を介して視認可能な第２遊技領域２４０とを備え、遊技盤本体１０に、第１遊技領域３から第２遊技領域２４０に遊技球を流入させる流入口２４１と、該流入口２４１から一方向に傾斜する第２遊技領域２４０を流下した遊技球を再び第１遊技領域３へ流出する流出口２４２とを設け、第２遊技領域２４０に、該第２遊技領域２４０を流下する遊技球を受け入れる開状態と、第２遊技領域２４０を流下する遊技球を受け入れずに流下させる閉状態とに変換可能な変動入賞装置２４５を設けたこととなる。
【０２０５】
以上のような遊技機１００においては、第１遊技領域３内に打ち込まれた遊技球が、第１遊技領域３を流下し、その一部が流入口２４１から第２遊技領域２４０に流入するようになっている。そして、第２遊技領域２４０内に形成された始動口２４４へ進入して始動条件が成立することに基づき、特図変動表示器において特図の変動表示ゲームを実行可能となっている。また、画像表示面１７１にて複数種類の識別情報（例えば、数字、記号、キャラクタ図柄など）を変動表示させる特図の変動表示ゲームに対応した表示ゲームを実行可能となっている。なお、この表示ゲームは、画像表示面１７１において、複数種類の識別情報を所定時間変動表示させることにより行う。
【０２０６】
そして、この特図の変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１の表示態様も特別結果態様（例えば、「７，７」等のゾロ目数字の何れか）となる。なお、この特図の変動表示ゲームにおける当り確率は１／３６０となっている。
【０２０７】
そして、特別遊技状態では、第２遊技領域２４０内に設けられた変動入賞装置２４５において、ソレノイド２４９が駆動軸２５０を退縮し、開閉板２４８を上流側へスライドさせて大入賞口２４６から退避させて大入賞口２４を開放し、大入賞口内への遊技球の流入を容易にさせるサイクル遊技が、１６ラウンドを限度に行われるようになっている。
【０２０８】
なお、特図の変動表示ゲームの当り確率や、サイクル遊技におけるラウンド数などはこれに限られるものではない。
【０２０９】
以上のような遊技機１００は、表示領域区画壁１６の内側に対応する表示領域区画壁１６の内側で遊技盤１と表示ユニット１７３との間に、開状態と閉状態とに変換可能な変動入賞装置２４５を配設し、変動入賞装置２４５の電気的駆動源（ソレノイド２４９）を表示領域区画壁１６の外周に設けている。
【０２１０】
したがって、表示領域区画壁１６で区画される表示領域を狭めることなく電気的駆動源を配設できるとともに装飾性を向上できる。
【０２１１】
また、遊技盤１ｂには、該遊技盤１ｂの前面側に形成された第１遊技領域３と、表示領域区画壁１６の内周の所要領域に形成され遊技盤本体１０を介して視認可能な第２遊技領域２４０とを備え、遊技盤本体１０に、第１遊技領域３から第２遊技領域２４０に遊技球を流入させる流入口２４１と、該流入口２４１から一方向に傾斜する第２遊技領域２４０を流下した遊技球を再び第１遊技領域３へ流出する流出口２４２とを設け、第２遊技領域２４０に、該第２遊技領域２４０を流下する遊技球を受け入れる開状態と、第２遊技領域２４０を流下する遊技球を受け入れずに流下させる閉状態とに変換可能な変動入賞装置２４５を設けている。
【０２１２】
したがって、遊技盤１ｂには、該遊技盤１ｂの前面側に形成された第１遊技領域３と、表示領域区画壁１６の内周に形成され、遊技盤本体１０を介して視認可能な第２遊技領域２４０とを備え、第１遊技領域３から第２遊技領域２４０に遊技球を流入させる流入口２４１と、該流入口２４１から一方向に傾斜する第２遊技領域２４０を流下した遊技球を再び第１遊技領域３へ流出する流出口２４２とを設け、第２遊技領域２４０に、該第２遊技領域２４０を流下する遊技球を受け入れる開状態と、第２遊技領域２４０を流下する遊技球を受け入れずに流下させる閉状態とに変換可能な変動入賞装置２４５を設けたので、第２遊技領域２４０を流下した遊技球を第１遊技領域３に戻すことができ、第２遊技領域２４０に遊技に関わる主要構成装置（始動口２４４、大入賞口２４６など）を設けることができるので、より興趣の高い遊技を行うことができる。また、このように、遊技に関わる主要構成装置を表示領域区画壁１６の内周に形成された第２遊技領域２４０に設けることができるので、遊技盤１ｂの前面側から視認可能な表示領域が狭められることがなく、遊技機の装飾性を向上させることができる。
【０２１３】
なお、本発明の遊技機は、遊技機として、上述した実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０２１４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２１５】
１      遊技盤
１ａ    遊技盤
１ｂ    遊技盤
３      第１遊技領域
９      普通変動入賞装置（入賞装置）
１０    遊技盤本体
１１    遊技盤裏面構成部材
１３    開口部
１５    視認開口
１６    表示領域区画壁
７０    可動演出装置
７３    モータ（電気的駆動源）
９０    第２遊技領域
１００  遊技機
１２０  前面枠
１７１  画像表示面
１７３  表示ユニット
２１０  第２遊技領域
２１２  変動入賞装置
２２１  リンク部材
２２２  駆動伝達部材
２２３  ソレノイド（電気的駆動源）
２２９  流下方向変換部材
２３２  ソレノイド（電気的駆動源）
２４０  第２遊技領域
２４１  流入口
２４２  流出口
２４５  変動入賞装置
２４９  ソレノイド（電気的駆動源）
【図１】
0005421962.tif 000002
【図２】
0005421962.tif 000003
【図３】
0005421962.tif 000004
【図４】
0005421962.tif 000005
【図５】
0005421962.tif 000006
【図６】
0005421962.tif 000007
【図７】
0005421962.tif 000008
【図８】
0005421962.tif 000009
【図９】
0005421962.tif 000010
【図１０】
0005421962.tif 000011
【図１１】
0005421962.tif 000012
【図１２】
0005421962.tif 000013
【図１３】
0005421962.tif 000014
【図１４】
0005421962.tif 000015
【図１５】
0005421962.tif 000016